(57)【特許請求の範囲】
【請求項１】
特典を付与するか否かを判断する特典付与判断手段と、
前記特典付与判定手段の判断結果を報知する報知手段と、
を備えた遊技機において、
前記報知手段は、
所定の第１位置に前記特典が付与される信頼度を表す信頼度表示を行う信頼度表示手段と、
時間の経過と共に所定の範囲で変化して時間経過を表示する時間経過表示手段と、
所定の第２位置に前記判断結果を示唆する示唆表示を前記特典が付与される信頼度を表す複数の態様のうち少なくとも１つを表示する示唆表示手段と、
前記判断結果に基づいて、前記時間経過表示手段が所定範囲内で変化する際に、前記示唆表示が第１態様から前記複数の態様のうちの前記信頼度が高くなる他の態様に段階的に変化可能に制御する第１表示制御手段と、
前記時間経過表示手段が変化する所定範囲内の所定タイミングで、前記示唆表示の態様を前記信頼度表示手段に表示させるように制御する第２表示制御手段と、
を有することを特徴とする遊技機。
【請求項２】
前記判断手段による判断結果を保留データとして、前記報知手段の報知に供されるまで、所定の最大保留記憶個数を上限として時系列順に記憶する保留記憶手段を備え、
前記報知手段は、
前記保留記憶手段に記憶されている保留データに対応する保留数を表示する保留数表示手段と、
所定の契機で指定された一の保留位置を選択する保留位置選択手段と、
を有し、
前記信頼度表示手段は、前記保留位置選択手段によって選択された前記保留位置を前記信頼度表示の表示部として設定し、
前記第２表示制御手段は、前記保留位置選択手段によって選択された前記保留位置の態様を前記所定のタイミングにおける前記示唆表示の態様に関連させて変化させるように制御することを特徴とする請求項１に記載の遊技機。
【請求項３】
前記第２表示制御手段は、前記保留位置選択手段によって選択された前記保留位置が、前記報知手段によって次の報知に供される前記保留データに対応する前記保留位置に設定された際に、当該保留位置の態様を前記所定のタイミングにおける前記示唆表示の態様に関連させて変化させるように制御することを特徴とする請求項２に記載の遊技機。
【請求項４】
前記報知手段は、前記判断結果の報知に供された前記保留データに対応する前記保留数を模した模擬表示を表示する模擬表示手段を有し、
前記第２表示制御手段は、前記示唆表示の態様に変化させた前記保留位置に対応する保留データが前記判断結果の報知に供された際には、前記模擬表示を前記判断結果の報知に供された前記保留データに対応する前記保留位置の態様に関連させて変化させるように制御することを特徴とする請求項２又は請求項３に記載の遊技機。
【請求項５】
前記判断手段による判断結果を保留データとして、前記報知手段の報知に供されるまで、所定の最大保留記憶個数を上限として時系列順に記憶する保留記憶手段を備え、
前記報知手段は、
前記保留記憶手段に記憶されている保留データに対応する保留数を表示する保留数表示手段と、
所定の契機で指定された一の前記保留位置を選択する保留位置選択手段と、
前記判断結果の報知に供された前記保留データに対応する前記保留数を模した模擬表示を表示する模擬表示手段と、
を有し、
前記信頼度表示手段は、前記保留位置選択手段によって選択された前記保留位置に対応する前記保留データが前記判断結果の報知に供された際に、前記模擬表示を前記信頼度表示の表示部として設定し、
前記第２表示制御手段は、前記模擬表示の態様を前記所定のタイミングにおける前記示唆表示の態様に関連させて変化させるように制御することを特徴とする請求項１に記載の遊技機。
【請求項６】
前記報知手段は、前記時間経過表示手段が前記所定の範囲で所定値になった場合に、前記判定結果を識別可能に報知する複数の識別図柄の組み合わせで仮変動停止した後、再度変動開始して該複数の識別図柄の組み合わせを前記判定手段の判定結果として停止表示する疑似連続予告演出手段を有し、
前記時間経過表示手段は、前記時間経過表示手段が前記所定の範囲で所定値になった場合に、前記複数の識別図柄の組み合わせが再度変動開始する旨を表示することを特徴とする請求項１乃至請求項５のいずれかに記載の遊技機。
【請求項７】
前記報知手段は、前記時間経過表示手段が前記所定範囲で変化して時間経過を表示した後、再度、前記時間経過表示手段が時間経過を表示する期間範囲を設定する再設定手段を有し、
前記時間経過表示手段は、前記再設定手段を介して設定された前記期間範囲の時間経過を再度表示し、
前記第１表示制御手段は、前記時間経過表示手段が前記期間範囲内で変化する際に、前記示唆表示が前記他の態様から前記複数の態様のうちの前記信頼度が更に高くなる態様に変化するように制御することを特徴とする請求項１乃至請求項６のいずれかに記載の遊技機。
【請求項８】
前記第２表示制御手段は、前記所定のタイミングで、前記示唆表示が前記信頼度表示に向かうように移動表示した後、前記信頼度表示の態様を前記所定のタイミングにおける前記示唆表示の態様に関連させて変化させるように制御することを特徴とする請求項１乃至請求項７のいずれかに記載の遊技機。
【請求項９】
前記第１表示制御手段は、前記時間経過表示手段が所定範囲内で変化する際に、前記示唆表示が所定の動きを繰り返し行うように表示し、予め定められた所定位置で前記示唆表示の態様を変化させるように制御することを特徴とする請求項１乃至請求項８のいずれかに記載の遊技機。
【請求項１０】
前記第１表示制御手段は、前記時間経過表示手段が所定範囲内で変化する際に、予め定められた経過時間において、前記示唆表示の態様を変化させるように制御することを特徴とする請求項１乃至請求項９のいずれかに記載の遊技機。
【請求項１１】
前記報知手段は、前記時間経過表示手段と前記第１態様の前記示唆表示とを表示した際に、該時間経過表示手段が前記所定の範囲で変化しないで、且つ、前記示唆表示の態様が前記第１態様から変化しない待機状態を所定期間表示するように制御する待機制御手段を有することを特徴とする請求項１乃至請求項１０のいずれかに記載の遊技機。
【発明の詳細な説明】
【技術分野】
【０００１】
本発明は、パチンコ遊技機等の遊技機に関するものである。
【背景技術】
【０００２】
従来より、遊技者に有利な特典が付与されるパチンコ遊技機等の遊技機が種々提案されている。
例えば、下記特許文献１に記載された遊技機では、液晶表示装置の画面内の一部に、最大保留個数と同数（４個）だけ設けた保留アイコンからなる保留表示器が設けられている。そして、通常は、先読み判定する際に存在する保留記憶個数と同数、例えば、３個だけ、その表示態様が作動状態に切り替えられ、保留記憶個数が表示される。
【０００３】
また、最新の保留記憶に係る保留アイコンについて、先読み予告の予告演出を実行するか否かの先読み予告抽選が行われる。そして、大当たり又は外れのいずれの先読み結果情報を持つかに関わらず、先読み予告抽選に当選した場合には、保留表示器の作動状態になっている保留アイコンのうちで、先読み対象となった保留アイコンが、白色、青色、黄色、緑色、赤色、虹色等の特殊な表示態様に変化されるように構成されている。ここで、保留アイコンの白色、青色、黄色、緑色、赤色、虹色の表示は、この色の順に、大当たりとなる信頼度が高いことを表している。
【先行技術文献】
【特許文献】
【０００４】
【特許文献１】特開２０１２−２４１３０号公報
【発明の概要】
【発明が解決しようとする課題】
【０００５】
しかしながら、前記した特許文献１に記載された遊技機では、現在実行中の左、中、右特別図柄の変動表示が終了する以前に、最新の保留アイコンの色が変更されるだけである。そのため、保留アイコンの色や形状等を変化させて大当たりを予告する演出態様に対する趣向性が低減する虞があった。
【０００６】
かかる問題に鑑み、本発明は、特典が付与される信頼度を表す信頼度表示を変化させる演出態様に対する趣向性を高めることが可能となる遊技機を提供することを目的とする。
【課題を解決するための手段】
【０００７】
前記目的を達成するため請求項１に係る遊技機は、特典を付与するか否かを判断する特典付与判断手段と、前記特典付与判定手段の判断結果を報知する報知手段と、を備えた遊技機において、前記報知手段は、所定の第１位置に前記特典が付与される信頼度を表す信頼度表示を行う信頼度表示手段と、時間の経過と共に所定の範囲で変化して時間経過を表示する時間経過表示手段と、所定の第２位置に前記判断結果を示唆する示唆表示を前記特典が付与される信頼度を表す複数の態様のうち少なくとも１つを表示する示唆表示手段と、前記判断結果に基づいて、前記時間経過表示手段が所定範囲内で変化する際に、前記示唆表示が第１態様から前記複数の態様のうちの前記信頼度が高くなる他の態様に段階的に変化可能に制御する第１表示制御手段と、前記時間経過表示手段が変化する所定範囲内の所定タイミングで、前記示唆表示の態様を前記信頼度表示手段に表示させるように制御する第２表示制御手段と、を有することを特徴とする。
【０００８】
尚、本発明の「特典」の内容は、大当たり遊技だけでなく、例えば、確変（大当たりになる確率が高確率状態）か否か、時短か否か、大入賞口の開放される回数（ラウンド数）が異なる、確変且つ時短か否か、大入賞口への１入賞球に対する払出個数が異なる、等の遊技者にとって有利若しくは不利な遊技価値を得ることや、プレミア演出を見ることができる等の遊技価値とは異なる内容も含んでいる。
【０００９】
また、請求項２に係る遊技機は、請求項１に記載の遊技機において、前記判断手段による判断結果を保留データとして、前記報知手段の報知に供されるまで、所定の最大保留記憶個数を上限として時系列順に記憶する保留記憶手段を備え、前記報知手段は、前記保留記憶手段に記憶されている保留データに対応する保留数を表示する保留数表示手段と、所定の契機で指定された一の保留位置を選択する保留位置選択手段と、を有し、前記信頼度表示手段は、前記保留位置選択手段によって選択された前記保留位置を前記信頼度表示の表示部として設定し、前記第２表示制御手段は、前記保留位置選択手段によって選択された前記保留位置の態様を前記所定のタイミングにおける前記示唆表示の態様に関連させて変化させるように制御することを特徴とする。
【００１０】
また、請求項３に係る遊技機は、請求項２に記載の遊技機において、前記第２表示制御手段は、前記保留位置選択手段によって選択された前記保留位置が、前記報知手段によって次の報知に供される前記保留データに対応する前記保留位置に設定された際に、当該保留位置の態様を前記所定のタイミングにおける前記示唆表示の態様に関連させて変化させるように制御することを特徴とする。
【００１１】
また、請求項４に係る遊技機は、請求項２又は請求項３に記載の遊技機において、前記報知手段は、前記判断結果の報知に供された前記保留データに対応する前記保留数を模した模擬表示を表示する模擬表示手段を有し、前記第２表示制御手段は、前記示唆表示の態様に変化させた前記保留位置に対応する保留データが前記判断結果の報知に供された際には、前記模擬表示を前記判断結果の報知に供された前記保留データに対応する前記保留位置の態様に関連させて変化させるように制御することを特徴とする。
【００１２】
また、請求項５に係る遊技機は、請求項１に記載の遊技機において、前記判断手段による判断結果を保留データとして、前記報知手段の報知に供されるまで、所定の最大保留記憶個数を上限として時系列順に記憶する保留記憶手段を備え、前記報知手段は、前記保留記憶手段に記憶されている保留データに対応する保留数を表示する保留数表示手段と、所定の契機で指定された一の前記保留位置を選択する保留位置選択手段と、前記判断結果の報知に供された前記保留データに対応する前記保留数を模した模擬表示を表示する模擬表示手段と、を有し、前記信頼度表示手段は、前記保留位置選択手段によって選択された前記保留位置に対応する前記保留データが前記判断結果の報知に供された際に、前記模擬表示を前記信頼度表示の表示部として設定し、前記第２表示制御手段は、前記模擬表示の態様を前記所定のタイミングにおける前記示唆表示の態様に関連させて変化させるように制御することを特徴とする。
【００１３】
また、請求項６に係る遊技機は、請求項１乃至請求項５のいずれかに記載の遊技機において、前記報知手段は、前記時間経過表示手段が前記所定の範囲で所定値になった場合に、前記判定結果を識別可能に報知する複数の識別図柄の組み合わせで仮変動停止した後、再度変動開始して該複数の識別図柄の組み合わせを前記判定手段の判定結果として停止表示する疑似連続予告演出手段を有し、前記時間経過表示手段は、前記時間経過表示手段が前記所定の範囲で所定値になった場合に、前記複数の識別図柄の組み合わせが再度変動開始する旨を表示することを特徴とする。
【００１４】
また、請求項７に係る遊技機は、請求項１乃至請求項６のいずれかに記載の遊技機において、前記報知手段は、前記時間経過表示手段が前記所定範囲で変化して時間経過を表示した後、再度、前記時間経過表示手段が時間経過を表示する期間範囲を設定する再設定手段を有し、前記時間経過表示手段は、前記再設定手段を介して設定された前記期間範囲の時間経過を再度表示し、前記第１表示制御手段は、前記時間経過表示手段が前記期間範囲内で変化する際に、前記示唆表示が前記他の態様から前記複数の態様のうちの前記信頼度が更に高くなる態様に変化するように制御することを特徴とする。
【００１５】
また、請求項８に係る遊技機は、請求項１乃至請求項７のいずれかに記載の遊技機において、前記第２表示制御手段は、前記所定のタイミングで、前記示唆表示が前記信頼度表示に向かうように移動表示した後、前記信頼度表示の態様を前記所定のタイミングにおける前記示唆表示の態様に関連させて変化させるように制御することを特徴とする。
【００１６】
また、請求項９に係る遊技機は、請求項１乃至請求項８のいずれかに記載の遊技機において、前記第１表示制御手段は、前記時間経過表示手段が所定範囲内で変化する際に、前記示唆表示が所定の動きを繰り返し行うように表示し、予め定められた所定位置で前記示唆表示の態様を変化させるように制御することを特徴とする。
【００１７】
また、請求項１０に係る遊技機は、請求項１乃至請求項９のいずれかに記載の遊技機において、前記第１表示制御手段は、前記時間経過表示手段が所定範囲内で変化する際に、予め定められた経過時間において、前記示唆表示の態様を変化させるように制御することを特徴とする。
【００１８】
更に、請求項１１に係る遊技機は、請求項１乃至請求項１０のいずれかに記載の遊技機において、前記報知手段は、前記時間経過表示手段と前記第１態様の前記示唆表示とを表示した際に、該時間経過表示手段が前記所定の範囲で変化しないで、且つ、前記示唆表示の態様が前記第１態様から変化しない待機状態を所定期間表示するように制御する待機制御手段を有することを特徴とする。
【発明の効果】
【００１９】
請求項１に記載の発明によれば、特典を付与するか否かを判断する特典付与判断手段と、前記特典付与判定手段の判断結果を報知する報知手段と、を備えた遊技機において、前記報知手段は、所定の第１位置に前記特典が付与される信頼度を表す信頼度表示を行う信頼度表示手段と、時間の経過と共に所定の範囲で変化して時間経過を表示する時間経過表示手段と、所定の第２位置に前記判断結果を示唆する示唆表示を前記特典が付与される信頼度を表す複数の態様のうち少なくとも１つを表示する示唆表示手段と、前記判断結果に基づいて、前記時間経過表示手段が所定範囲内で変化する際に、前記示唆表示が第１態様から前記複数の態様のうちの前記信頼度が高くなる他の態様に段階的に変化可能に制御する第１表示制御手段と、前記時間経過表示手段が変化する所定範囲内の所定タイミングで、前記示唆表示の態様を前記信頼度表示手段に表示させるように制御する第２表示制御手段と、を有する構成のため、特典が付与される信頼度を表す信頼度表示を変化させる演出態様に対する趣向性を高めることが可能となる。
【００２０】
つまり、時間経過表示手段が所定範囲内で変化する際に、特典を付与するか否かの判断結果を示唆する示唆表示が、複数の態様のうちの第１態様から信頼度が高くなる他の態様に段階的に変化可能となる。そして、時間経過表示手段が変化する所定範囲内の所定タイミングで、特典が付与される信頼度を表す信頼度表示の態様が、所定のタイミングにおける示唆表示の態様に関連されて変化する。これにより、遊技者の興味を、示唆表示が変化する演出態様に惹きつけた後、続いて、信頼度表示が変化する演出態様に惹きつけることができ、特典が付与される信頼度を表す信頼度表示を変化させる演出態様に対する趣向性を高めることが可能となる。
【００２１】
請求項２に記載の発明によれば、時間経過表示手段が変化する所定範囲内の所定タイミングで、最大保留記憶個数を上限として時系列順に記憶される保留データに対応する保留数のうち、所定の契機で指定された一の保留位置の態様が、所定のタイミングにおける示唆表示の態様に関連されて変化する。これにより、遊技者の興味を、示唆表示が変化する演出態様に惹きつけた後、続いて、保留位置が変化する演出態様に惹きつけることができ、特典が付与される信頼度を表す保留位置の態様を変化させる演出態様に対する趣向性を高めることが可能となる。
【００２２】
請求項３に記載の発明によれば、時間経過表示手段が変化する所定範囲内の所定タイミングで、特典が付与されるか否かを報知する報知手段によって次の報知に供される保留データに対応する保留位置の態様が、所定のタイミングにおける示唆表示の態様に関連されて変化する。これにより、遊技者の興味を、示唆表示が変化する演出態様に惹きつけた後、続いて、報知手段によって次の報知に供される保留位置の態様が変化する演出態様に惹きつけることができ、特典が付与される信頼度を表す保留位置の態様を変化させる演出態様に対する趣向性を更に高めることが可能となる。
【００２３】
請求項４に記載の発明によれば、示唆表示の態様に関連させて変化させた保留位置に対応する保留データが、判断結果の報知に供された際には、保留数を模した模擬表示の態様が、判断結果の報知に供された保留位置の態様に関連されて変化する。これにより、模擬表示の変化する態様によって特典が付与されるか否かを予告することが可能となり、遊技者の興味を模擬表示が変化する演出態様に惹きつけることができ、更に趣向性を高めることが可能となる。
【００２４】
請求項５に記載の発明によれば、最大保留記憶個数を上限として時系列順に記憶される保留位置に対応する保留データのうち、所定の契機で指定された一の保留位置に対応する保留データが判断結果の報知に供された際に、保留数を模した模擬表示の態様が、所定のタイミングにおける示唆表示の態様に関連されて変化する。これにより、遊技者の興味を、示唆表示が変化する演出態様に惹きつけた後、続いて、保留数を模した模擬表示が変化する演出態様に惹きつけることができ、保留数を模した模擬表示を変化させる演出態様に対する趣向性を高めることが可能となる。
【００２５】
請求項６に記載の発明によれば、時間経過表示手段が所定の範囲で所定値になった場合に、判定結果を識別可能に報知する複数の識別図柄の組み合わせで仮変動停止されると共に、時間経過表示手段は、複数の識別図柄の組み合わせが再度変動開始する旨を表示する。これにより、遊技者は、複数の識別図柄が仮変動停止した後、再度、変動開始する旨を容易に確認することができ、遊技の趣向性を更に高めることができる。
【００２６】
請求項７に記載の発明によれば、時間経過表示手段が所定範囲で変化して時間経過を表示した後、再度、再設定手段を介して設定された期間範囲の時間経過を表示する。また、時間経過表示手段が期間範囲内で変化する際に、示唆表示が他の態様から複数の態様のうちの信頼度が更に高くなる態様に変化する。これにより、示唆表示の態様が更に信頼度が高い態様に変化するため、遊技者の興味を、示唆表示が変化する演出態様に更に惹き付けることができ、特典が付与される信頼度を表す信頼度表示を変化させる演出態様に対する趣向性を更に高めることが可能となる。
【００２７】
請求項８に記載の発明によれば、時間経過表示手段が変化する所定範囲内の所定のタイミングで、示唆表示が信頼度表示に向かうように移動表示された後、信頼度表示の態様が、所定のタイミングにおける示唆表示の態様に関連されて変化する。これにより、遊技者は、信頼度表示の態様が示唆表示の態様に変化することを容易に予測でき、特典が付与される信頼度を表す信頼度表示を変化させる演出態様に対する趣向性を更に高めることが可能となる。
【００２８】
請求項９に記載の発明によれば、時間経過表示手段が所定範囲内で変化する際に、示唆表示が所定の動きを繰り返し行うように表示され、予め定められた所定位置で示唆表示の態様が変化する。これにより、示唆表示の態様が変化するタイミングを認識し易くなり、示唆表示が所定位置に位置する毎に、遊技者の興味を示唆表示に惹きつけ、趣向性を高めることが可能となる。
【００２９】
請求項１０に記載の発明によれば、時間経過表示手段が所定範囲内で変化する際に、予め定められた経過時間において、示唆表示の態様が変化する。これにより、示唆表示の態様が変化するタイミングを認識し易くなり、遊技者の興味を時間経過表示手段の表示に惹きつけることができ、趣向性を高めることが可能となる。
【００３０】
請求項１１に記載の発明によれば、時間経過表示手段が所定の範囲で変化しないで、且つ、示唆表示の態様が第１態様から変化しない待機状態が所定期間表示されるため、遊技者の期待を高め、趣向性を高めることが可能となる。
【図面の簡単な説明】
【００３１】
【図１】本実施形態に係る遊技機の正面図である。
【図２】図１に示した遊技機の裏側を示す図である。
【図３】図１に示した遊技機の制御ブロック図である。
【図４】図１に示した遊技機が備える主制御基板が行うメイン処理（主制御メイン処理）のフローチャートである。
【図５】図４に示したメイン処理で行われる割り込み処理のフローチャートである。
【図６】図５に示した割り込み処理で行われる入賞検出処理のフローチャートである。
【図７】図５に示した割り込み処理で行われる普通動作処理のフローチャートである。
【図８】図５に示した割り込み処理で行われる特別動作処理のフローチャートである。
【図９】図８に示した特別動作処理で行われる特別図柄待機処理のフローチャートである。
【図１０】図９に示した特別図柄待機処理で行われる特別図柄大当たり判定処理のフローチャートである。
【図１１】図９に示した特別図柄待機処理で行われる特別図柄選択処理のフローチャートである。
【図１２】図９に示した特別図柄待機処理で行われる特別図柄変動パターン作成処理のフローチャートである。
【図１３】図９に示した特別図柄待機処理で行われる特別図柄乱数シフト処理のフローチャートである。
【図１４】図８に示した特別動作処理で行われる変動中処理のフローチャートである。
【図１５】図８に示した特別動作処理で行われる特別図柄確定処理のフローチャートである。
【図１６】図８に示した特別動作処理で行われる特別電動役物処理のフローチャートである。
【図１７】図５に示した割り込み処理で行われる保留球数処理のフローチャートである。
【図１８】図１に示した遊技機が備えるサブ制御基板が行うメイン処理（サブ制御メイン処理）のフローチャートである。
【図１９】図１に示した遊技機が備えるサブ制御基板が行う受信割り込み処理のフローチャートである。
【図２０】図１に示した遊技機が備えるサブ制御基板が行う２ｍｓタイマ割り込み処理のフローチャートである。
【図２１】図１に示した遊技機が備えるサブ制御基板が行う１０ｍｓタイマ割り込み処理のフローチャートである。
【図２２】図２１に示した１０ｍｓタイマ割り込み処理で行われるコマンド監視処理のフローチャートである。
【図２３】図２２に示したコマンド監視処理で行われる保留予告演出コマンド処理のフローチャートである。
【図２４】図２３に示した保留予告演出コマンド処理で実行される第１演出パターンの当たり保留予告演出のフローチャートである。
【図２５】図２３に示した保留予告演出コマンド処理で実行される第２演出パターンの当たり保留予告演出のフローチャートである。
【図２６】図２３に示した保留予告演出コマンド処理で実行される第３演出パターンの当たり保留予告演出の第１フローチャートである。
【図２７】図２３に示した保留予告演出コマンド処理で実行される第３演出パターンの当たり保留予告演出の第２フローチャートである。
【図２８】図２３に示した保留予告演出コマンド処理で実行される第４演出パターンの当たり保留予告演出の第１フローチャートである。
【図２９】図２３に示した保留予告演出コマンド処理で実行される第４演出パターンの当たり保留予告演出の第２フローチャートである。
【図３０】図２３に示した保留予告演出コマンド処理で実行される第１演出パターンの外れ保留予告演出のフローチャートである。
【図３１】図２３に示した保留予告演出コマンド処理で実行される第２演出パターンの外れ保留予告演出のフローチャートである。
【図３２】保留予告演出に出現するボールの色の信頼度の一例を示す図である。
【図３３】保留予告演出のタイミングチャートの一例を示す図である。
【図３４】保留予告演出のタイミングチャートの一例を示す図である。
【図３５】保留予告演出の一例を示す図である。
【図３６】保留予告演出の一例を示す図である。
【図３７】保留予告演出の一例を示す図である。
【図３８】保留予告演出の一例を示す図である。
【図３９】保留予告演出の一例を示す図である。
【図４０】保留予告演出の一例を示す図である。
【図４１】保留予告演出の一例を示す図である。
【図４２】保留予告演出の一例を示す図である。
【図４３】保留予告演出の一例を示す図である。
【図４４】保留予告演出の一例を示す図である。
【図４５】保留予告演出の一例を示す図である。
【図４６】保留予告演出の一例を示す図である。
【図４７】保留予告演出の一例を示す図である。
【図４８】保留予告演出の一例を示す図である。
【図４９】保留予告演出の一例を示す図である。
【発明を実施するための形態】
【００３２】
先ず、本実施形態に係る遊技機１の概略構成について図１乃至図３に基づいて説明する。図１に示すように、遊技機１は、遊技媒体として遊技球を用いるパチンコ遊技機であって、遊技盤２の縁に外側誘導レール３および内側誘導レール４が略円形に配置され、上記外側誘導レール３および内側誘導レール４によって区画された部分には遊技球が発射される遊技領域６が上記遊技盤２上に設けられている。上記遊技領域６には遊技球を誘導する誘導釘（図示せず）が遊技盤２の表面に設けられている。
【００３３】
また、遊技機１の前面側には、装飾ランプ等からなるランプ装置３５、発射装置へ供給する遊技球と払い出された遊技球を受けるための上側球受け皿３６、該上側球受け皿３６の満杯時に遊技球を受けるための下側球受け皿３７、効果音等を発するスピーカ３８、遊技者の発射操作に応じて遊技球を上記遊技領域６へ向けて弾発発射するための発射装置６４、遊技者による操作可能な操作手段の一例として機能する遊技ボタンスイッチ６７が設けられている。尚、図１における符号Ｗ１は遊技機の外枠、Ｗ２は外枠Ｗ１に取り付けられた前枠、Ｇは上記前枠Ｗ２に開閉可能にヒンジで取り付けられたガラス枠である。以下、遊技機１の各構成について説明する。
【００３４】
上記遊技領域６には、中心線上の上部から下部に向かって順に表示装置１０、始動入賞口４２、大入賞口４５、アウト口４８が配置されている。上記始動入賞口４２および上記大入賞口４５の左右には左袖入賞口５１、左落とし入賞口５２、右落とし入賞口５３、右袖入賞口５４等の入賞口が配置されている。また、上記表示装置１０の左には普通図柄変動開始用ゲート５５が設けられ、その下方には風車７６が設けられている。更に、風車７６の下方には普通図柄表示装置５０が組み込まれている。
【００３５】
上記始動入賞口４２、大入賞口４５、左袖入賞口５１、左落とし入賞口５２、右落とし入賞口５３、右袖入賞口５４等は、上記遊技領域６に発射された遊技球が入賞（入球）可能な複数の入賞領域に相当する。上記の各入賞口（入賞領域）に遊技球が入賞して入賞（入球）が検出されると１入賞球の検出に対して所定個数の賞品球（遊技球）が遊技者に払い出される。上記１入賞球の検出に対する賞品球の払出個数は、上記入賞口毎に設定されている。
【００３６】
上記表示装置１０は、図柄等が表示可能なものであって、液晶、ドットマトリックスもしくはＬＥＤ表示装置等の画像表示装置からなる。本実施形態では、液晶表示器（ＴＦＴ−ＬＣＤモジュール）で構成されている。
【００３７】
上記表示装置１０（表示手段）は表示部（表示領域）１１を有する。表示部１１は、特別図柄（識別図柄）を表示したり、所定の演出映像・画像（詳細を後述する保留予告演出を含む）を表示するために用いられる。表示部１１には、左右に並ぶ左特別図柄（左判定図柄、左識別図柄）と中特別図柄（中判定図柄、中識別図柄）と右特別図柄（右判定図柄、右識別図柄）が、所定時間変動表示された後、所定の演出判定結果に基づき左特別図柄、中特別図柄、右特別図柄が確定停止特別図柄（確定停止判定図柄、確定停止識別図柄）として停止表示される。この際、表示部１１には、上記特別図柄に加えて演出映像・画像（キャラクタ、背景、文字等）が表示されることもある。
【００３８】
本実施形態において変動および停止表示される左特別図柄、中特別図柄、右特別図柄は、本実施形態ではそれぞれ『０，１，２，３，４，５，６，７，８，９，１０，１１』の１２通りの図柄とされている。本実施形態では、遊技の当否判定結果が大当たり（当たり）の場合には、上記表示部１１に大当たりの特別図柄組合せ、この例では『１，１，１』（いわゆる‘１’のぞろ目）や『２，２，２』（いわゆる‘２’のぞろ目）等、同一数字の組合せで特別図柄が停止表示され、遊技者に特典を付与する。具体的には、通常遊技よりも遊技者に有利な特別遊技（大当たり遊技）を実行する。通常遊技は、特別遊技以外の当否判定を行う遊技状態をいい、本実施形態では低確率状態や確変状態（高確率状態）や時短状態（時間短縮状態）が存在する。上記表示部１１は、大当たりの判定を行う特別図柄変動保留球数表示器を兼ねている（いわゆる保留球数は表示部１１に表示される）。
【００３９】
上記普通図柄表示装置５０は、液晶、ドットマトリックス若しくはＬＥＤ表示装置等の表示装置からなり、記号あるいは絵（キャラクタ）等の小当たり判定用普通図柄を変動表示および停止表示する。本実施形態の普通図柄表示装置５０は、ＬＥＤ表示装置からなる。本実施形態における普通図柄表示装置５０に変動および停止表示される普通図柄は、『○』と『×』の２種類からなり、普通図柄当たりの場合には当たり普通図柄『○』で停止表示され、一方、普通図柄外れの場合には外れ普通図柄『×』で停止表示される。
【００４０】
上記始動入賞口４２は、始動入賞領域に相当し、２つの開閉部材４２Ａ、４２Ｂが背面の始動入賞口用ソレノイドによって略垂直で遊技球の入賞（入球）が難しい閉状態と略Ｖ字形（逆ハの字形）の入賞容易な開状態間を変化可能に制御されている。上記始動入賞口４２の開状態への移行は、上記普通図柄表示装置５０で普通図柄が変動した後、普通図柄当たりを示す当たり普通図柄『○』で確定停止表示された時に行われる。
【００４１】
また、上記遊技盤２の背面には、始動入賞口検出スイッチ（始動入賞口センサ）が入賞球用通路に設けられており、上記始動入賞口４２への遊技球の入賞（入球）を検出するように構成されている。本実施形態において上記始動入賞口４２への遊技球の入賞（入球）検出は、所定の乱数値（数値データ）を取得するための起因および上記特別図柄の変動表示開始の起因とされている。上記始動入賞口４２への入賞に起因して取得した乱数値（数値データ）は、一旦保留記憶手段（本発明における記憶手段）に記憶される。つまり、上記特別図柄（識別図柄）の変動表示が保留されると共に、上記保留記憶手段に記憶した乱数値（数値データ）の記憶数（保留球数（本願の「保留数」に相当する。））、すなわち上記始動入賞口（始動入賞領域）４２への入賞回数が特別図柄変動保留球数として記憶される。
【００４２】
この特別図柄変動保留球数は、特別図柄変動保留球数表示器としての表示部１１に表示され、当否判定手段（主制御基板２００のＣＰＵ）による当否判定が行われることに基づいて、この当否判定と対応する乱数値（数値データ）および上記特別図柄変動保留球数の記憶値（保留球数）が減算され、上記表示部１１で特別図柄（識別図柄）の変動表示が開始されることに基づいて、特別図柄変動保留球数表示器の保留球数の表示を減らすようにしている。
【００４３】
尚、本実施形態では、上記始動入賞口４２への入賞回数記憶値の上限値、すなわち特別図柄変動保留球数の上限値は当該変動中の記憶を除いて４つに設定されている。また、後述のように、当該変動中の大当たりになる信頼度を表すボールの形状を模した模擬アイコン（本願の「模擬表示」に相当する。）８２が表示部１１の左下角部に表示される（本願の「模擬表示手段」に相当する。）（図３５参照）。また、後述のように、特別図柄変動保留球数表示器には、保留球数に対応してボールの形状を模した４個以下の各保留アイコン８３Ａ〜８３Ｄが表示部１１の下端中央部に表示される（図３５参照）。例えば、保留球数が３の場合には、３個の各保留アイコン８３Ａ〜８３Ｃが表示部１１の下端中央部に表示される。
【００４４】
上記特別図柄変動保留球数が設定上限数（４つ）まで記憶されている時には、上記始動入賞口検出スイッチがそれ以上上記始動入賞口４２への入賞遊技球を検出しても、特別図柄変動保留球数として記憶されない無効球とされ、その無効球については特別図柄の変動および当否判定を行うことなく、入賞に対する賞品球（賞品遊技球）が所定数払い出される。
【００４５】
上記普通図柄変動開始用ゲート５５は、上記遊技盤２の背面に設けられた普通図柄変動開始スイッチで普通図柄変動開始用ゲート５５を通過する遊技球が検出されることに基づいて上記普通図柄表示装置５０で普通図柄の変動を開始させる。また、上記普通図柄変動開始用ゲート５５を遊技球が通過することによって発生する普通図柄の変動を、最高４つ普通図柄変動保留球数として記憶する。具体的には、普通図柄変動保留球数表示器（図示せず）で普通図柄変動保留球数を点灯表示する。普通図柄が変動を開始すると、普通図柄変動保留球数を減らし、普通図柄変動保留球数表示器における表示個数を減らす。
【００４６】
上記左袖入賞口５１、左落とし入賞口５２、右落とし入賞口５３、右袖入賞口５４等は、それぞれ上方から入球可能な入球口を上部に有している。また、上記左袖入賞口５１の入賞球を検出する左袖入賞口用検出スイッチと右袖入賞口用検出スイッチ、上記左落とし入賞口５２と右落とし入賞口５３の入賞球を検出する左落とし入賞口用検出スイッチと右落とし入賞口用検出スイッチが、それぞれ対応する遊技盤背面に設けられている。
【００４７】
上記大入賞口４５は、上記遊技盤２の背面に設けられた大入賞口開放用ソレノイドによって開閉する開閉板４６を備えている。この大入賞口４５は、通常は開閉板４６が閉じた状態とされ、当否判定結果が大当たりの場合に実行される大当たり遊技（特典付与）時に、所定ラウンドとして本実施形態では１５ラウンド（１５回）開放される（この大当たり遊技時に大入賞口４５を開放する構成が本発明における特典付与手段に相当する）。また、上記大入賞口４５内には、大入賞口４５に入賞した入賞球を検出する入賞球数カウントスイッチ（カウントセンサ）が設けられている。
【００４８】
上記始動入賞口検出スイッチ（始動入賞口センサ）、左袖入賞口用検出スイッチ、右袖入賞口用検出スイッチ、左落とし入賞口用検出スイッチ、右落とし入賞口用検出スイッチ、入賞球数カウントスイッチ（カウントセンサ）は、入賞装置（入賞領域）に入賞した遊技球を検出する入賞検出手段に相当する。
【００４９】
上記発射装置６４は、操作レバー６５の操作により駆動する発射モータを裏側に有し、この発射モータの駆動により遊技球を遊技領域６に向けて発射する。この発射装置６４により発射された発射球は、遊技盤２の表面に立設された内側誘導レール４と外側誘導レール３間で構成される発射球誘導路を介して遊技領域６に誘導される。遊技領域６に誘導された遊技球は、転動しつつ下方へ落下し、各入賞口に入賞するか、あるいは何処にも入賞しなければ上記アウト口４８から遊技盤２の裏側へ排出される。
【００５０】
上記遊技機１の裏側には、図２に示すように、複数の制御基板や装置等が設けられている。制御基板の主なものとして、主制御基板２００、サブ制御基板２０５、表示制御基板２１０、音声制御基板２２０、払出制御基板２４０、電源基板２５０、発射制御基板２６０等がある。符号２６５は外部端子、２８１は払出装置、２８３は球無し検出スイッチ、２８９は球貯留タンク、２９１は球誘導樋である。尚、各制御基板には制御回路が設けられている。また、各制御基板は、単独でまたは複数まとめてケースに収納された状態で遊技機１の裏側に配置されている。主な制御基板を、図３のブロック図を用いて簡略に示す。
【００５１】
主制御基板（主制御回路）２００は、遊技の進行を制御する主制御装置に相当し、少なくともＣＰＵ、ＲＡＭ、ＲＯＭおよび複数のカウンタを備えたマイクロコンピュータを備える。この主制御基板２００は、遊技情報や入球検出等の入力信号に従って遊技を制御し、遊技情報を記憶する記憶手段を備えた制御装置であって、サブ制御基板２０５および払出制御基板２４０と接続されると共に、中継回路を介して始動入賞口４２や大入賞口４５等とも接続されている。上記主制御基板２００のＣＰＵは、制御プログラムを実行して遊技情報に従って遊技に関わる主制御を行う。上記遊技情報は、少なくとも遊技状態の情報を含む。上記主制御基板２００は電源基板２５０から電源供給を受けて作動する。
【００５２】
上記主制御基板２００におけるＣＰＵは、制御部、演算部、各種カウンタ、各種レジスタ、各種フラグ等を備え、演算制御を行う他、乱数値（数値データ）を生成し、また制御信号（コマンドとも称される）を、主制御基板２００と接続されている各基板（各制御装置）等へ出力（送信）可能に構成されている。また、上記主制御基板２００のＣＰＵは、制御プログラムを実行して遊技情報に従って遊技に関わる主制御を行う。遊技情報は、少なくとも遊技状態の情報を含み、当否判定に関する確率情報や、各入賞装置への入賞情報や、払出情報、ラウンド状態、演出に関する情報等、遊技の進行に必要な情報である。尚、上記主制御基板２００のＣＰＵは、普通図柄当たりの当否判定や、大当たりの当否判定を行う当否判定手段としても機能する。
【００５３】
上記主制御基板２００から出力される制御信号（コマンド）やデータとして、各種入賞コマンド、次回大当たりコマンド、特別図柄（識別図柄）や後述する演出態様を変動パターンに基づいて変動表示（演出表示）させるための変動コマンド、特別図柄の変動を停止させるための変動停止コマンド、状態コマンド、大当たり当否判定結果データ、普通図柄当たりの当否判定結果データ、数値データ取得手段で取得した数値データ、電源投入時、異常時、大当たりラウンド時のデータ等を挙げることができる。尚、上記状態コマンドには、上記表示装置１０で客待ち状態の表示行うための客待ち状態、低確率状態、確変状態（高確率状態）、時短状態、大当たり状態等がある。
【００５４】
上記ＲＡＭは、本発明において、始動入賞口検出スイッチにより入賞を検出したときに数値データ取得手段が取得した数値データを取得順に記憶可能な保留記憶手段に相当し、取得した数値データや保留球数の記憶領域、普通図柄変動開始スイッチで検出された遊技球の普通図柄変動保留球数の記憶領域、ＣＰＵで生成される各種乱数値用の記憶領域、遊技に必要な遊技データ等の各種データ等を一時的に記憶する記憶領域、フラグおよびＣＰＵの作業領域を備える。
【００５５】
上記ＲＯＭは、上記ＣＰＵのための制御プログラムや制御データ、上記表示部１１での変動表示に関する変動パターンや図柄データ等が書き込まれている他、大当たりおよび普通図柄当たりの判定値等が書き込まれている。
【００５６】
サブ制御基板２０５は、主制御基板（回路）２００から送信される制御信号に基づき電気装置の制御を行う従制御装置に相当し、ＣＰＵ、ＲＯＭ、ＲＡＭ、複数のカウンタを備えたマイクロコンピュータと、上記主制御基板２００とを結ぶ入出力回路と、表示制御基板２１０やランプ中継基板、音声制御基板２２０、遊技ボタンスイッチ６７とを結ぶ入出力回路を備えている。電気装置としては、ランプ装置３５、表示制御基板２１０、音声制御基板２２０が挙げられる。さらには、上記表示制御基板２１０に接続されている表示装置１０、上記音声制御基板２２０に接続されているスピーカ３８等についても、上記サブ制御基板２０５が制御する電気装置として挙げられる。本実施形態ではサブ制御基板２０５はランプ制御基板を兼ねている。
【００５７】
上記サブ制御基板２０５のＲＯＭには、制御用のプログラムやデータおよび定数、上記表示部１１で表示される複数の演出のデータ等が記憶されている。一方、上記サブ制御基板２０５のＲＡＭは、遊技情報の記憶領域、各種データの記憶領域、ＣＰＵによる作業領域等を有する。上記ランプ中継基板には、装飾ランプ等のランプ装置３５が接続され、上記サブ制御基板２０５からランプ中継基板に送信された制御信号（指令信号）によって、ランプ装置３５の作動を制御する。上記サブ制御基板２０５は電源基板２５０から電源供給を受けて作動する。
【００５８】
表示制御基板２１０は、ＣＰＵ、ＲＯＭ、ＲＡＭを備えたマイクロコンピュータと、上記サブ制御基板２０５を結ぶ入力回路と上記表示装置１０、普通図柄表示装置５０を結ぶ出力回路等で構成され、上記サブ制御基板２０５から出力される制御信号に基づき、上記表示装置１０、普通図柄表示装置５０に対して表示の制御を行う。
【００５９】
上記表示制御基板２１０のＲＯＭには、制御用のプログラムが記憶されている。上記表示制御基板２１０は、上記サブ制御基板２０５からの制御信号に基づきＣＰＵがＲＯＭから所定の表示制御データを読み出し、ＲＡＭの記憶領域で制御用データを生成してＶＤＰ（図示せず）に出力する。ＶＤＰは、ＣＰＵからの指令に基づいてＲＯＭから必要なデータを読み出し、表示画像のマップデータを作成し、ＶＲＡＭに格納する。ＶＲＡＭに格納記憶された画像データは、出力回路に備えるＤ／Ａ変換回路にてＲＧＢ信号に変換されて表示装置１０に出力され、表示部１１に表示される。上記表示制御基板２１０のＲＡＭは、遊技情報の記憶領域、各種データの記憶領域、ＣＰＵによる作業領域を有している。
【００６０】
音声制御基板２２０は、上記サブ制御基板２０５から出力される信号により音声信号を合成し、アンプに出力する。アンプは音声信号を増幅してスピーカ３８に出力する。
【００６１】
払出制御基板２４０は、遊技球の払出を制御する払出制御手段に相当し、ＣＰＵ、ＲＯＭ、ＲＡＭを備えたマイクロコンピュータを有する。払出制御基板２４０は、上記主制御基板２００と電気的接続手段で接続され、主制御基板２００から出力される制御信号を受信して払出装置２８１を制御する。この払出制御基板２４０は電源基板２５０から供給される電源によって作動する。払出制御基板２４０のＲＯＭには、制御用のプログラムが記憶されている。払出制御基板２４０のＲＡＭは、種々の入賞口への入賞検出に基づき上記払出装置２８１により払い出される賞品球（遊技球）の払出個数を、１入賞球の検出に対する払出個数毎に記憶可能である。
【００６２】
電源基板２５０は、遊技機１の外部より供給される主電源から遊技機１に適する所定電圧の遊技機用電源を生成して主制御基板２００やサブ制御基板２０５、払出制御基板２４０等に供給するものであり、電源装置に相当する。上記主電源は、遊技店側で所要の電圧、本実施形態では交流（ＡＣ）２４Ｖに変換されて供給される。発射制御基板２６０は、上記発射装置６４における発射モータの制御を行う。
【００６３】
上記主制御基板２００には、大当たり乱数用カウンタ、リーチ乱数用カウンタ、変動パターン乱数用カウンタ、演出態様乱数用カウンタ、普通図柄乱数用カウンタ、大当たり図柄乱数用カウンタ、左図柄乱数用カウンタ、中図柄乱数用カウンタ、右図柄乱数用カウンタ等の乱数用カウンタが設けられている。
【００６４】
大当たり乱数用カウンタは、上記始動入賞口４２への入賞に対する大当たりの当否判定に用いられ、‘０’〜‘６２９’の大当たり乱数値を有する。上記大当たり乱数用カウンタにおける大当たり乱数値（数値データ）は、遊技機の電源投入時‘０’から始まって後述の主要乱数更新処理ごとに１加算され、‘６２９’に至ると次には‘０’にされて再び上記加算を繰り返す。上記大当たり乱数値は、上記始動入賞口４２への入賞を上記始動入賞口検出スイッチで検出したことに起因して取得される。取得された大当たり乱数値（取得された数値データ）が、予め設定されている当たり成立数値と対比されて一致すれば大当たり（当たり）となり、一致しなければ外れとなる。
【００６５】
本実施形態では、低確率状態時には、‘３’，‘３９７’の２個が当たり成立数値として設定され、取得された大当たり乱数値がこの何れかと一致すれば当否判定結果が大当たりとなる（つまり低確率状態時の大当たり確率は２／６３０である）。一方、確変時には、‘３’，‘３３’，‘５３’，‘５９’，‘１１３’，‘１７３’，‘２２７’，‘２８１’，‘３３７’，‘３９７’，‘４４９’，‘５０３’の１２個が当たり成立数値として設定され、取得された大当たり乱数値がこの何れかと一致すれば当否判定結果が大当たりとなる（つまり確変時の大当たり確率は１２／６３０である）。このようにして、当否判定手段（主制御基板２００のＣＰＵ）は、始動入賞口４２への遊技球の入賞という判定条件の成立に起因した乱数取得による抽選が大当たりか否かを判定する。
【００６６】
本実施形態にかかる遊技機１では、内部抽選（大当たり図柄乱数用カウンタによる抽選。詳細は後述）によって大当たり後も低確率状態での遊技となる通常大当たりと、大当たり後に確変状態での遊技となる確変大当たりに振り分けられる。通常大当たりの場合、特別図柄（『０，１，２，３，４，５，６，７，８，９，１０，１１』）のうち、偶数図柄（『０，２，４，６，８，１０』）が三つ揃った（偶数図柄のぞろ目）が表示部１１に停止表示される。確変大当たりの場合、特別図柄（『０，１，２，３，４，５，６，７，８，９，１０，１１』）のうち、奇数図柄（『１，３，５，７，９，１１』）が三つ揃った（奇数図柄のぞろ目）が表示部１１に停止表示される。
【００６７】
本実施形態では、通常大当たり遊技の終了後は、当否判定が最大１００回行われるまで時短状態とされる。当否判定が１００回行われた後は時短が解除され、次の大当たりまで通常状態となる。また、確変大当たり遊技の終了後は、次の大当たりとなるまで確変状態（高確率状態）かつ時短状態とされる。時短状態時の遊技では、詳細を後述するように、普通図柄当たりの抽選確率が１／３００から６０／３００（１／５）に向上すると共に、上記開閉部材４２Ａ、４２Ｂの拡開時間が１秒から２秒に長くなり、拡開回数も１回から３回に増える。したがって、時短状態時には、始動入賞口４２へ入賞しやすくなり、持ち球を減らすことを抑制しつつ次の大当たりを期待して遊技を行うことができる。
【００６８】
リーチ乱数用カウンタは、当否判定結果が外れとなる場合において、リーチ状態を経るか否かを決めるリーチ有無決定用のものであり、‘０’〜‘１２６’のリーチ乱数値からなる。本実施形態におけるリーチ状態は、上記表示部１１で変動停止表示される左特別図柄、中特別図柄および右特別図柄のうち、最後に停止表示される特別図柄（例えば中特別図柄）を除いて他の特別図柄（例えば左特別図柄と右特別図柄）が同一となる状態（最終停止図柄を除いて大当たりの特別図柄組み合わせと等しくなる状態であり、最終的に大当たりとなる場合と外れとなる場合が含まれる状態）をいう。
【００６９】
このリーチ乱数値は、遊技機１の電源投入時、‘０’から始まり、後述の主要乱数更新処理ごとに１ずつ加算され、‘１２６’に至ると、次に‘０’にされて再び上記加算を繰り返す。リーチ乱数値は、上記始動入賞口４２への入賞を上記始動入賞口検出スイッチで検出したことに起因して取得され、当否判定結果が外れの場合に、その数値が予め決定されているリーチ成立数値と対比されてリーチ有無が判断される。本実施形態ではリーチ成立数値は、‘５’，‘１７’，‘２８’，‘４０’，‘５１’，‘６３’，‘７４’，‘８６’，‘９７’，‘１０９’，‘１２０’に設定されている。尚、本実施形態では、上記大当たり乱数値による当否判定結果が当たりとなる場合には、必ずリーチになるため、リーチの有無に関してこのリーチ乱数値は使用されない。
【００７０】
変動パターン乱数用カウンタは、変動パターンテーブルから特別図柄（識別図柄）や後述する演出態様の変動パターンを選択する際に用いられるものであり、‘０’〜‘１９８’の変動パターン乱数値を備える。この変動パターン乱数値は、遊技機１の電源投入時、‘０’から始まり、後述の主要乱数更新処理ごとに１ずつ加算され、数値が‘１９８’に至ると、次に‘０’にされて再び上記加算を  繰り返す。変動パターン乱数値は、上記始動入賞口４２への入賞を上記始動入賞口検出スイッチで検出したことに起因して取得される。
【００７１】
変動パターンテーブルは、表示部１１に表示する変動パターンの複数で構成されており、主制御基板２００のＲＯＭに記憶されている。変動パターンテーブルには、低確率状態中当たりテーブル、低確率状態中リーチハズレテーブル、低確率状態中ハズレテーブル、確変状態中当たりテーブル、確変状態中リーチハズレテーブル、確変状態中ハズレテーブルの６種類ある。各変動パターンテーブルには複数の変動パターンが設けられ、さらに各変動パターンには変動パターン乱数値が割り当てられている。
【００７２】
上記変動パターンテーブルからの変動パターンの選択は、現在低確率状態か確変状態か、当否判定手段による当否判定結果が当たりか外れか、リーチ有りか無しかに応じて、上記複数の変動パターンテーブルの中から対応するテーブルが選択され、さらに選択されたテーブルから、変動パターン乱数値に基づいて一つの変動パターンが選択されるように構成されている。
【００７３】
また、変動パターンのうち、後述の保留予告演出パターンには、例として演出時間の最も短い（例えば、演出時間Ｔ１が約３０秒である。）第１演出パターンと、演出時間が第１演出パターンよりも長い（例えば、演出時間Ｔ２が約４０秒である。）第２演出パターンと、演出時間が第２演出パターンよりも長い（例えば、演出時間Ｔ３が約５０秒である。）第３演出パターンと、演出時間が第３演出パターンよりも長い（例えば、演出時間Ｔ４が約６０秒である。）第４演出パターンとがあり、演出態様乱数用カウンタによって決定される。
【００７４】
そして、この選択された変動パターンは変動コマンドとしてサブ制御基板２０５に出力される。サブ制御基板２０５は、この変動コマンドを受信すると、所定の演出パターン（対戦演出、保留予告演出等に対応する演出パターン）に対応する演出内容をＲＯＭから読み出して実行する。
【００７５】
また、主制御基板２００は、保留予告演出パターンが変動パターンとして選択された場合には、保留記憶手段（ＲＡＭ）に記憶されている始動入賞口４２への入賞に起因して取得された各大当たり乱数値のうち、大当たりとなる大当たり乱数値、つまり、当たり成立数値と一致する大当たり乱数値があるか否かを判定する先読み判定を行う。そして、大当たりとなる大当たり乱数値が記憶されていると判定された場合には、大当たりとなる保留記憶に対応する保留アイコンの位置情報（表示順番）が取得される。そして、「大当たりになる保留アイコンの表示順番（大当たりになる保留情報）」と保留予告演出パターンを含んだ変動コマンド（保留予告演出コマンド）が、サブ制御基板２０５に出力される。
【００７６】
一方、保留予告演出パターンが変動パターンとして選択されたが、大当たりとなる大当たり乱数値が記憶されていないと判定された場合には、保留予告演出パターンを実行する保留アイコンの表示順番を例として「２番目」に設定される。そして、「外れになる保留アイコンの表示順番（保留予告演出パターンの実行位置（例えば、「２番目」））」と保留予告演出パターンを含んだ変動コマンド（保留予告演出コマンド）が、サブ制御基板２０５に出力される。但し、その際保留球数が２個以上なければ実行しないように構成されている。尚、外れになる保留アイコンの表示順番は「２番目」に限らず、「１番目」や「３番目」等でもその時の保留球数によって決めてもよい。
【００７７】
ここで、演出態様乱数用カウンタは、電源投入時に‘０’から始まり、後述の主要乱数更新処理ごとに１ずつ加算され、‘９９’に至ると、次に‘０’に書き換えられて再び前記加算が繰り返される。本実施形態に係る遊技機１では、例えば、大当たりのときには、演出態様乱数用カウンタがカウントする演出態様乱数値として、‘０’〜‘１９’が取得された場合、「第１演出パターン」の保留予告演出パターンが選択され、‘２０’〜‘４４’が取得された場合、「第２演出パターン」の保留予告演出パターンが選択され、‘４５’〜‘９９’が取得され、且つ、通常大当たりの場合、「第３演出パターン」の保留予告演出パターンが選択され、‘４５’〜‘９９’が取得され、且つ、確変大当たりの場合、「第４演出パターン」の保留予告演出パターンが選択される。
【００７８】
また、本実施形態に係る遊技機１では、例えば、外れのときには、演出態様乱数用カウンタがカウントする演出態様乱数値として、‘０’〜‘７９’が取得された場合、「第１演出パターン」の保留予告演出パターンが選択され、‘８０’〜‘９９’が取得された場合、「第２演出パターン」の保留予告演出パターンが選択される。
【００７９】
各変動パターンには特別図柄（識別図柄）や後述する演出態様を所定のパターンで変動表示させる変動時間がそれぞれ設定されており、上記表示部１１における特別図柄の変動表示開始時に変動時間が設定される。
【００８０】
取得された大当たり乱数値、大当たり図柄乱数値、リーチ乱数値、変動パターン乱数値等の各数値データについては、それぞれ最大４個、主制御基板２００のＲＡＭにおける該当領域に上記特別図柄変動保留数と対応させて格納され、順次使用される。
【００８１】
普通図柄乱数用カウンタは、普通図柄当たりを判定するもので、遊技機１の電源投入時、‘０’から始まって後述の主要乱数更新処理ごとに‘１’ずつ加算され、‘２９９’に至ると、次に‘０’に書き換えられて再び上記加算が繰り返される。この普通図柄乱数は、上記普通図柄変動開始用ゲート５５を通過した遊技球を上記普通図柄変動開始スイッチで検出するごとに取得され、現在上記普通図柄表示装置５０で普通図柄が変動中のものを除いて最大４個まで上記主制御基板２００のＲＡＭの普通図柄乱数値記憶領域に格納される。
【００８２】
また、低確率状態時には、取得された普通図柄乱数値が当たり成立数値として設定されている‘１’と一致すれば普通図柄当たりとなる。つまり、低確率状態時の普通図柄当たりの確率は１／３００である。一方、確変状態（高確率状態）時および時短状態時には、当たり成立数値として設定されている‘１’〜‘６０’の何れかと一致すれば普通図柄当たりとなる。つまり、確変状態（高確率状態）時および時短状態時の普通図柄当たりの確率は６０／３００（１／５）である。普通図柄当たりになると、上記始動入賞口４２の両側に設けられた開閉部材４２Ａ、４２Ｂが拡開開放される。尚、低確率状態における普通図柄当たりの場合、始動入賞口４２の開放は１秒の開放が１回行われる。一方、確変状態および時短状態時における普通図柄当たりの場合、開閉部材４２Ａ、４２Ｂの開放は２秒の開放が３回行われる。
【００８３】
大当たり図柄乱数用カウンタは、大当たり時に上記表示部１１に停止表示される停止特別図柄を決定するための大当たり図柄乱数値を有する。大当たり図柄乱数値は‘０’〜‘１１’からなり、電源投入時に‘０’から始まって後述の普通図柄・特別図柄主要乱数更新処理ごとに‘１’ずつ加算され、‘１１’に至ると、次に‘０’に書き換えられて再び上記加算が繰り返される。大当たり図柄乱数値は、主制御基板２００の制御における特別図柄選択処理の際に取得される。
【００８４】
大当たり図柄乱数値には、上記表示部１１で停止表示されるぞろ目の数字が設定されている。大当たり図柄乱数値‘１’が取得されたときには、停止特別図柄『１，１，１』が設定され、大当たり図柄乱数値‘２’が取得されたときには、停止特別図柄『２，２，２』が設定され、・・・といったように、取得した乱数値のぞろ目の数字が停止特別図柄として設定される。上述したように、停止特別図柄が偶数である大当たりは通常大当たりとなり、停止特別図柄が奇数である大当たりは確変大当たりとなる。
【００８５】
左図柄乱数用カウンタは、大当たりの当否判定結果が外れの時に上記表示部１１で停止表示する左特別図柄を決定するための左図柄乱数値を有する。左図柄乱数値は‘０’〜‘１１’からなり、電源投入時に‘０’から始まって後述の普通図柄・特別図柄主要乱数更新処理ごとに‘１’ずつ加算され、‘１１’に至ると、次に‘０’に書き換えられて再び上記加算が繰り返される。左図柄乱数値は、主制御基板２００の制御における特別図柄選択処理の際に取得される。左図柄乱数値には表示部１１で停止表示される左特別図柄が設定されている。すなわち、左図柄乱数値‘１’が取得されたときには、左特別図柄『１』が設定され、左図柄乱数値‘２’が取得されたときには、左特別図柄『２』が設定され、・・・といったように、取得した乱数値が左特別図柄として設定される。
【００８６】
中図柄乱数用カウンタは、大当たりの当否判定結果が外れの時に上記表示部１１で停止表示する中特別図柄を決定するための中図柄乱数値を有する。中図柄乱数値は‘０’〜‘１１’からなり、電源投入時に‘０’から始まって後述の普通図柄・特別図柄主要乱数更新処理ごとに‘１’ずつ加算され、‘１１’に至ると、次に‘０’に書き換えられて再び上記加算が繰り返される。中図柄乱数値は、主制御基板２００の制御における特別図柄選択処理の際に取得される。中図柄乱数値には表示部１１で停止表示される中特別図柄が設定されている。すなわち、中図柄乱数値‘１’が取得されたときには、中特別図柄『１』が設定され、中図柄乱数値‘２’が取得されたときには、中特別図柄『２』が設定され、・・・といったように、取得した乱数値が中特別図柄として設定される。
【００８７】
右図柄乱数用カウンタは、大当たりの当否判定結果が外れの時に上記表示部１１で停止表示する右特別図柄を決定するための右図柄乱数値を有する。右図柄乱数値は‘０’〜‘１１’からなり、電源投入時に‘０’から始まって後述の普通図柄・特別図柄主要乱数更新処理ごとに‘１’ずつ加算され、‘１１’に至ると、次に‘０’に書き換えられて再び上記加算が繰り返される。右図柄乱数値は、主制御基板２００の制御における特別図柄選択処理の際に取得される。右図柄乱数値には表示部１１で停止表示される右特別図柄が設定されている。すなわち、右図柄乱数値‘１’が取得されたときには、右特別図柄『１』が設定され、右図柄乱数値‘２’が取得されたときには、右特別図柄『２』が設定され、・・・といったように、取得した乱数値が右特別図柄として設定される。
【００８８】
ただし、例えば、当否判定結果が外れとなる場合において各乱数用カウンタによって取得された乱数値が一致したり、リーチ状態を経るということがリーチ乱数用カウンタによって決定されたにも拘わらず左図柄乱数値と右図柄乱数値とが異なったり、リーチ無しであるということがリーチ乱数用カウンタで決定されたにも拘わらず左図柄乱数値と右図柄乱数値が一致したりすることがある。このような場合には、当否判定の結果やリーチの有無に合わせた停止特別図柄を設定するため、各乱数用カウンタによって取得された乱数値がそのまま特別図柄として設定されないこともある（後述の特別図柄選択処理参照）。
【００８９】
上記サブ制御基板（サブ制御装置）２０５に設けられる乱数用カウンタとしては、演出乱数用カウンタ等がある。演出乱数用カウンタは、‘０’〜‘９９’の演出乱数値を有し、主制御基板２００から送信される変動コマンドに基づいて実行する所定の演出の演出態様を決定する際に使用される。演出乱数用カウンタは、電源投入時に‘０’から始まって後述のサブ制御基板２０５の制御における乱数更新処理ごとに‘１’ずつ加算され、‘９９’に至ると、次に‘０’に書き換えられて再び前記加算が繰り返される。
【００９０】
ここで遊技機１の遊技について簡単に説明する。上記遊技機１においては、遊技領域６へ向けて発射装置６４により発射された遊技球が、上記種々の入賞口に入賞すると入賞口に応じた所定数の遊技球が賞球として上側球受け皿３６に払い出される。また、上記普通図柄変動開始用ゲート５５を遊技球が通過すると、上記普通図柄表示装置５０で普通図柄が変動を開始し、所定時間変動した後に停止する。その際、普通図柄当たりの場合には、上記普通図柄表示装置５０で『○』が表示され、上記始動入賞口４２の２つの開閉部材４２Ａ、４２Ｂが背面の始動入賞口用ソレノイドによって略垂直で入賞し難い狭小開放状態から略Ｖ字形（逆ハの字形）の入賞し易い拡開開放状態に変化し、遊技球が入賞し易くなる。そして、上記始動入賞口４２に遊技球が入球して始動入賞口検出スイッチで検出される（入賞する）と、所定数の遊技球が賞球として払い出される。
【００９１】
また、上記始動入賞口４２に遊技球が入賞したことを起因に、大当たり乱数値、リーチ乱数値、変動パターン乱数値等の数値データが取得される。取得された乱数値（数値データ）は、主制御基板２００のＲＡＭ（保留記憶手段）に記憶されて特別図柄の変動、当否判定および当否判定結果の表示が保留されると共に、大当たり乱数値（数値データ）の記憶数、すなわち上記始動入賞口（始動入賞領域）４２への入賞回数が特別図柄変動保留球数として上記主制御基板２００のＲＡＭ（保留記憶手段）に記憶される。
【００９２】
上記主制御基板２００のＲＡＭ（保留記憶手段）に乱数値（数値データ）の記憶（保留）がある場合、特別図柄の変動表示を開始する前に大当たりの当否判定とリーチ有無の判定等が行われると共に、変動パターン決定用乱数値等に基づいて変動パターンテーブルより変動パターンが選択され、選択された変動パターンに基づいて特別図柄の変動表示が上記表示部１１で開始される。特別図柄の変動表示の開始は、上記ＲＡＭ（保留記憶手段）に記憶されている乱数値（数値データ）の取得順番、すなわち始動入賞口４２に入賞した順番に従って実行される。また、記憶されている乱数値（数値データ）は、当否判定手段による当否判定が行われることに基づいてＲＡＭ（保留記憶手段）から消去される。
【００９３】
上記特別図柄の変動表示開始から所定時間（変動パターン毎に設定されている変動時間）経過後、特別図柄が変動停止して大当たりの当否判定結果が上記表示部１１に表示される。
【００９４】
当否判定結果が大当たりの場合、上記表示部１１に上記特別図柄が『５、５、５』等のぞろ目で停止表示される。大当たりになると、特別遊技（大当たり遊技）が実行される。特別遊技状態（大当たり遊技状態）になると、上記大入賞口４５の開閉板４６が開いて遊技領域６の表面を落下してくる遊技球を受け止め易くして、大入賞口４５へ入賞可能にし、この大入賞口４５への入賞があると、所定数の遊技球が賞球として払い出される。上記開閉板４６は、所定時間経過後、あるいは入賞球数が所定個数となった時点で閉じるようにされ、所定ラウンド（所定回数）上記開閉板４６の開閉を繰り返す。
【００９５】
本実施形態では、１５ラウンド（１５Ｒ）に設定されており、大当たりの場合に上記大入賞口４５の開閉が１５ラウンド繰り返される。大当たりが通常大当たり（偶数の特別図柄のぞろ目）であれば、大当たり遊技の終了後、当否判定が最大１００回行われるまで時短状態とされる。大当たりが確変大当たり（奇数の特別図柄のぞろ目）であれば、大当たり遊技の終了後、次に大当たりとなるまで確変状態（高確率状態）かつ時短状態とされる。
【００９６】
次に、上記遊技機１の制御処理に関して説明する。上記主制御基板（主制御装置）２００に設けられる主なフラグとして、大当たりフラグ、大当たり終了フラグ、確変フラグ、時短フラグ等が挙げられる。
【００９７】
上記主制御基板２００は、上記ＲＯＭに記憶されている制御用プログラムに従い上記マイクロコンピュータのＣＰＵにより制御処理を行う。図４は上記主制御基板２００が行うメイン処理のフローチャートである。
【００９８】
メイン処理では、先ず、デバイスの初期設定（Ｓ１０）が行われる。デバイスの初期設定（Ｓ１０）では、スタックの設定、割り込み時間の設定、ＣＰＵの設定、ＳＩＯ、ＰＩＯ、ＣＴＣの設定等が行われる。尚、電源投入時のみに必要な処理は、最初の１巡目のみに実行され、その後は実行されないが、周知であるので詳細は省略する。
【００９９】
次に、割り込み禁止処理（Ｓ２０）、主要乱数更新処理（Ｓ３０）、割り込み許可処理（Ｓ４０）が行われ、その後に再び割り込み禁止処理（Ｓ２０）に戻るループ処理が行われ、このループ処理の間に割込処理（Ｓ１００）が行われる。
【０１００】
上記割り込み禁止処理（Ｓ２０）では、４ｍｓｅｃごとに割込処理（Ｓ１００）が入ってきても、割り込み許可となるまで、割り込みを禁止する。次の主要乱数更新処理（Ｓ３０）では、種々の乱数が主要乱数更新処理（Ｓ３０）ごとに１加算され、上記のように各乱数の設定上限値に至ると次に最小値に戻って再び加算が行われる。更新された乱数は上記主制御基板２００のＲＡＭに記憶される。割り込み許可処理（Ｓ４０）では、４ｍｓｅｃごとに入ってくる割込処理（Ｓ１００）に対して許可をする。
【０１０１】
割込処理（Ｓ１００）では、図５に示すように、出力処理（Ｓ１１０）、入力処理（Ｓ１２０）、普通図柄・特別図柄主要乱数更新処理（Ｓ１３０）、入賞検出処理（Ｓ１４０）、普通動作処理（Ｓ１５０）、特別動作処理（Ｓ１６０）、保留球数処理（Ｓ１７０）、その他の処理（Ｓ１８０）が順に行われる。
【０１０２】
出力処理（Ｓ１１０）では、各処理で設定された出力用のコマンド（制御信号）や取得された数値データ等が各制御基板に送信される。入力処理（Ｓ１２０）では、遊技機１に取り付けられている各種センサ（スイッチ）が検知した場合の信号入力が行われる。普通図柄・特別図柄主要乱数更新処理（Ｓ１３０）では、上記メイン処理におけるループ処理内で行われている普通図柄・特別図柄主要乱数更新処理（Ｓ３０）と同様の処理が行われる。
【０１０３】
入賞検出処理（Ｓ１４０）では、図６に示すように、上記始動入賞口４２への入賞が検出されたか判断され（Ｓ１４０−１）、入賞が検出されていない場合には上記普通図柄変動開始用ゲート５５への遊技球通過が検出されたか判断される（Ｓ１４０−２）。普通図柄変動開始用ゲート５５への遊技球通過が検出されていない場合には、この入賞検出処理（Ｓ１４０）が終了する。一方、普通図柄変動開始用ゲート５５への遊技球通過が検出された場合には、上記普通図柄変動保留球数が４以上か判断され（Ｓ１４０−３）、４以上の場合にはこの入賞検出処理（Ｓ１４０）が終了する。一方、上記普通図柄変動保留球数が４未満であれば普通図柄変動保留球数に１加算されると共に（Ｓ１４０−４）、普通図柄乱数値が取得され、取得した普通図柄乱数値が主制御基板２００のＲＡＭにおける対応する領域（アドレス）に記憶され（Ｓ１４０−５）、この入賞検出処理（Ｓ１４０）が終了する。
【０１０４】
他方、上記Ｓ１４０−１で始動入賞口４２への入賞が検出されたと判断されると、上記特別図柄変動保留球数が４以上か判断され（Ｓ１４０−６）、４以上の場合にはこの入賞検出処理（Ｓ１４０）が終了する。一方、上記特別図柄変動保留球数が４未満であれば、特別図柄変動保留球数に１加算され（Ｓ１４０−７）、大当たり乱数値、リーチ乱数値、変動パターン乱数値等が取得されて主制御基板２００のＲＡＭ（保留記憶手段）の対応する領域（アドレス）に記憶され（Ｓ１４０−８）、この入賞検出処理（Ｓ１４０）が終了する。
【０１０５】
普通動作処理（Ｓ１５０）では、図７に示すように、先ず、上記始動入賞口４２の両側に設けられた開閉部材４２Ａ、４２Ｂが開放中か確認される（Ｓ１５０−１）。上記開閉部材４２Ａ、４２Ｂが閉鎖中（狭小開放状態）であれば、普通図柄変動保留球数が０かどうか確認され（Ｓ１５０−２）、０であればこの普通動作処理（Ｓ１５０）が終了する。一方、普通図柄変動保留球数が０でない場合には、上記入賞検出処理（Ｓ１４０）の普通図柄乱数取得処理（Ｓ１４０−５）で取得されて主制御基板２００のＲＡＭに記憶されている普通図柄乱数値が読み出され（Ｓ１５０−３）、現在確変状態（高確率状態）か確認される（Ｓ１５０−４）。
【０１０６】
確変状態ではない低確率状態の場合、上記取得普通図柄乱数値が低確率状態時の普通図柄当たり成立数値と対比されて両者が一致するか確認され、一致する場合には低確率状態での普通図柄当たりとなり、一致しない場合には普通図柄外れと判断される（Ｓ１５０−５）。普通図柄外れの場合には、この普通動作処理（Ｓ１５０）が終了し、一方、普通図柄当たりの場合には、上記開閉部材４２Ａ、４２Ｂを開放時間１秒、開放回数１回で開放する開閉部材開放処理１が行われ（Ｓ１５０−６）、その後にこの普通動作処理（Ｓ１５０）が終了する。
【０１０７】
それに対して、Ｓ１５０−４で確変状態（高確率状態）と判断されると、上記取得普通図柄乱数値が確変状態時の普通図柄当たり成立数値と対比されて両者が一致するか確認され、一致する場合には確変状態での普通図柄当たりとなり、一致しない場合には普通図柄外れと判断される（Ｓ１５０−７）。普通図柄外れの場合には、この普通動作処理（Ｓ１５０）が終了し、一方、普通図柄当たりの場合には、上記開閉部材４２Ａ、４２Ｂを開放時間２秒、開放回数３回で開放する開閉部材開放処理２が行われ（Ｓ１５０−８）、その後にこの普通動作処理（Ｓ１５０）が終了する。
【０１０８】
また、Ｓ１５０−１で開閉部材４２Ａ、４２Ｂが開放中と判断されると、開閉部材４２Ａ、４２Ｂの開放時間が経過（終了）したか確認され（Ｓ１５０−９）、開閉部材４２Ａ、４２Ｂの開放時間が経過していない場合には、この普通動作処理（Ｓ１５０）が終了し、一方、開閉部材４２Ａ、４２Ｂの開放時間が経過した場合には、開閉部材４２Ａ、４２Ｂを閉鎖する（狭小開放状態とする）処理が行われ（Ｓ１５０−１０）、その後にこの普通動作処理（Ｓ１５０）が終了する。
【０１０９】
特別動作処理（Ｓ１６０）では、図８に示すように、特別動作ステータスが１〜４の何れであるか判断される（Ｓ１６０−１〜Ｓ１６０−３）。上記特別動作ステータスが１の場合には特別図柄待機処理（Ｓ１６０−４）が行われ、上記特別動作ステータスが２の場合には変動中処理（Ｓ１６０−５）が行われ、上記特別動作ステータスが３の場合には特別図柄確定処理（Ｓ１６０−６）が行われ、上記特別動作ステータスが４の場合には特別電動役物処理（Ｓ１６０−７）が行われる。
【０１１０】
特別動作ステータスが１の場合に行われる特別図柄待機処理（Ｓ１６０−４）では、図９に示すように、特別図柄変動保留球数が０か否か判断され（Ｓ１６０−４−１）、特別図柄変動保留球数が０の場合には表示部１１が特別図柄の変動中ではない待機画面（待ち受け画面）中か否か判断され（Ｓ１６０−４−２）、待機画面（待ち受け画面）中であれば、この特別図柄待機処理（Ｓ１６０−４）が終了する。一方、待機画面（待ち受け画面）中ではない場合には、表示部１１を待機画面（待ち受け画面）にするための待機画面設定処理（Ｓ１６０−４−３）が行われて表示部１１が待機画面にセットされ（Ｓ１６０−４−４）、その後にこの特別図柄待機処理（Ｓ１６０−４）が終了する。
【０１１１】
それに対して、上記Ｓ１６０−４−１で特別図柄変動保留球数が０ではないと判断された場合には、特別図柄大当たり判定処理（Ｓ１６０−４−５）が行われる。特別図柄大当たり判定処理（Ｓ１６０−４−５）では、図１０に示すように、まず、上記入賞検出処理（Ｓ１４０）の特別図柄関係乱数値取得処理（Ｓ１４０−８）で取得された、主制御基板２００のＲＡＭ（保留記憶手段）に記憶されている大当たり乱数値のうち、一番目の大当たり乱数値が読み出され（Ｓ１６０−４−５−１）、現在確変状態（高確率状態）か確認される（Ｓ１６０−４−５−２）。
【０１１２】
Ｓ１６０−４−５−２で確変状態ではない低確率状態の場合、上記取得された大当たり乱数値が低確率状態時の大当たり成立数値と対比されて両者が一致するか確認され、一致する場合には低確率状態での大当たりとなり、一致しない場合には外れと判断される（Ｓ１６０−４−５−３）。外れの場合には、この特別図柄大当たり判定処理（Ｓ１６０−４−５）が終了し、一方、大当たりの場合には、大当たりフラグがＯＮにセットされ（Ｓ１６０−４−５−４）、この特別図柄大当たり判定処理（Ｓ１６０−４−５）が終了する。
【０１１３】
それに対して、Ｓ１６０−４−５−２で確変中（高確率状態）と判断されると、上記取得された大当たり乱数値が高確率状態時の大当たり成立数値と対比されて両者が一致するか確認され、一致する場合には高確率状態での大当たりとなり、一致しない場合には外れと判断される（Ｓ１６０−４−５−５）。外れの場合には、この特別図柄大当たり判定処理（Ｓ１６０−４−５）が終了し、一方、大当たりの場合には、大当たりフラグがＯＮにセットされ（Ｓ１６０−４−５−４）、この特別図柄大当たり判定処理（Ｓ１６０−４−５）が終了する。この特別図柄大当たり判定処理（Ｓ１６０−４−５）は、判定条件の成立に起因して遊技の当否判定を行う、本発明における特典付与判定手段の処理の一例に相当する。
【０１１４】
上記特別図柄大当たり判定処理（Ｓ１６０−４−５）の次に特別図柄選択処理（Ｓ１６０−４−６）が行われる。特別図柄選択処理（Ｓ１６０−４−６）では、上記表示部１１で停止表示する特別図柄が決定される。先ず、特別図柄選択処理（Ｓ１６０−４−６）では、図１１に示すように、大当たりフラグがＯＮか判断され（Ｓ１６０−４−６−１）、大当たりフラグがＯＮ、すなわち大当たりの場合には大当たり図柄乱数に基づく特別図柄が停止特別図柄としてセットされる（Ｓ１６０−４−６−２）。一方、大当たりフラグがＯＮではない、すなわち外れの場合には、上記左・中・右図柄乱数用カウンタによって左・中・右図柄乱数値（以下、左図柄乱数値を特別図柄データ１、中図柄乱数値を特別図柄データ２・右図柄乱数値を特別図柄データ３と称する）を取得し（Ｓ１６０−４−６−３）、特別図柄データ１と特別図柄データ２と特別図柄データ３の乱数値が全て一致しているか判断され（Ｓ１６０−４−６−４）、一致している場合にはリーチ乱数値がリーチ成立数値と一致しているか判断される（Ｓ１６０−４−６−５）。
【０１１５】
リーチ乱数値がリーチ成立数値と一致している場合にはリーチ有りとなり、特別図柄データ１の乱数値に割り当てられている特別図柄が停止左特別図柄、特別図柄データ２の乱数値に１加算した乱数値に割り当てられている特別図柄が停止中特別図柄、特別図柄データ３の乱数値に割り当てられている特別図柄が停止右特別図柄にセットされる（Ｓ１６０−４−６−６）。一方、リーチ乱数値がリーチ成立数値と一致していない場合にはリーチ無しとなり、特別図柄データ１の乱数値に割り当てられている特別図柄が停止左特別図柄、特別図柄データ２の乱数値に割り当てられている特別図柄が停止中特別図柄、特別図柄データ３の乱数値に１加算した乱数値に割り当てられている特別図柄が停止右特別図柄にセットされる（Ｓ１６０−４−６−７）。
【０１１６】
上記Ｓ１６０−４−６−４で特別図柄データ１と２と３の乱数値が一致していないと判断された場合には、特別図柄データ１と３の乱数値が一致しているか判断される（Ｓ１６０−４−６−８）。特別図柄データ１と３の乱数値が一致している場合には、リーチ乱数値がリーチ成立数値と一致しているか判断される（Ｓ１６０−４−６−９）。リーチ乱数値がリーチ成立数値と一致している場合にはリーチ有りとなり、特別図柄データ１の乱数値に割り当てられている特別図柄が停止左特別図柄、特別図柄データ２の乱数値に割り当てられている特別図柄が停止中特別図柄、特別図柄データ３の乱数値に割り当てられている特別図柄が停止右特別図柄にセットされる（Ｓ１６０−４−６−１０）。一方、リーチ乱数値がリーチ成立数値と一致していない場合にはリーチ無しとなり、特別図柄データ１の乱数値に割り当てられている特別図柄が停止左特別図柄、特別図柄データ２の乱数値に割り当てられている特別図柄が停止中特別図柄、特別図柄データ３の乱数値に１加算した乱数値に割り当てられている特別図柄が停止右特別図柄にセットされる（Ｓ１６０−４−６−７）。
【０１１７】
上記Ｓ１６０−４−６−８で特別図柄データ１と３の乱数値が一致していない、すなわち各特別図柄データ１、２、３が全て異なると判断された場合には、リーチ乱数値がリーチ成立数値と一致しているか判断される（Ｓ１６０−４−６−１１）。リーチ乱数値がリーチ成立数値と一致している場合にはリーチ有りとなり、特別図柄データ１と特別図柄データ３の値が特別図柄データ１あるいは特別図柄データ３の乱数値に割り当てられている特別図柄と同一になるように停止左特別図柄と停止右特別図柄がセットされると共に、その同一にした特別図柄データ１或いは特別図柄データ３の乱数値に１加算した乱数値に割り当てられている特別図柄が停止中特別図柄にセットされる（Ｓ１６０−４−６−１２）。一方、リーチ乱数値がリーチ成立数値と一致していない場合にはリーチ無しとなり、特別図柄データ１の乱数値に割り当てられている特別図柄が停止左特別図柄、特別図柄データ２の乱数値に割り当てられている特別図柄が停止中特別図柄、特別図柄データ３の乱数値に割り当てられている特別図柄が停止右特別図柄にセットされる（Ｓ１６０−４−６−１０）。
【０１１８】
続いて、特別図柄変動パターン作成処理（Ｓ１６０−４−７）が行われる。特別図柄変動パターン作成処理（Ｓ１６０−４−７）では、図１２に示すように、遊技状態が通常状態（低確率状態）中か確変状態（高確率状態）中か確認される（Ｓ１６０−４−７−１）。通常状態中の場合には大当たりフラグがＯＮ（当否判定結果が大当たりか）か確認され（Ｓ１６０−４−７−２）、大当たりフラグがＯＮの場合には、上記主制御基板２００のＲＡＭ（保留記憶手段）において読み出し順序が一番目に記憶されている変動パターン乱数値がロードされ、通常状態中の当たりテーブルにおける変動パターン乱数値と一致する変動パターンが選択される（Ｓ１６０−４−７−３）。
【０１１９】
一方、上記Ｓ１６０−４−７−２において大当たりフラグがＯＮではない（当否判定結果が外れである）と判断された場合には、上記主制御基板２００のＲＡＭ（保留記憶手段）における一番目のリーチ乱数値がロードされてリーチ成立数値と対比され、両者が一致する場合にはリーチ有りとされ、一致しない場合にはリーチ無しとされる（Ｓ１６０−４−７−４）。リーチ有りの場合には、上記主制御基板２００のＲＡＭ（保留記憶手段）における一番目の変動パターン乱数値がロードされ、通常状態中のリーチハズレテーブルにおける変動パターン乱数値と一致する変動パターンが選択される（Ｓ１６０−４−７−５）。また、Ｓ１６０−４−７−４でリーチ無しと判断された場合、上記主制御基板２００のＲＡＭ（保留記憶手段）における一番目の変動パターン乱数値がロードされ、通常状態中のハズレテーブルにおける変動パターン乱数値と一致する変動パターンが選択される（Ｓ１６０−４−７−６）。
【０１２０】
他方、Ｓ１６０−４−７−１で確変状態（高確率状態）中と判断された場合、大当たりフラグがＯＮ（当否判定結果が大当たりか）か確認され（Ｓ１６０−４−７−７）、大当たりフラグがＯＮの場合には、上記主制御基板２００のＲＡＭ（保留記憶手段）における一番目の変動パターン乱数値がロードされ、確変状態中の当たりテーブルにおける変動パターン乱数値と一致する変動パターンが選択される（Ｓ１６０−４−７−８）。一方、上記Ｓ１６０−４−７−７において大当たりフラグがＯＮではない（当否判定結果が外れである）と判断された場合には、上記主制御基板２００のＲＡＭ（保留記憶手段）における一番目のリーチ乱数値がロードされてリーチ成立数値と対比され、両者が一致する場合にはリーチ有りとされ、一致しない場合にはリーチ無しとなる（Ｓ１６０−４−７−９）。
【０１２１】
Ｓ１６０−４−７−９でリーチ有りと判断された場合には、上記主制御基板２００のＲＡＭ（保留記憶手段）における一番目の変動パターン乱数値がロードされ、確変状態中のリーチハズレテーブルにおける変動パターン乱数値と一致する変動パターンが選択される（Ｓ１６０−４−７−１０）。また、Ｓ１６０−４−７−９でリーチ無しと判断された場合、上記主制御基板２００のＲＡＭ（保留記憶手段）における一番目の変動パターン乱数値がロードされ、確変状態中のハズレテーブルにおける変動パターン乱数値と一致する変動パターンが選択される（Ｓ１６０−４−７−１１）。上記変動パターンの選択後、選択した変動コマンドを送信バッファに格納し（Ｓ１６０−４−７−１２）、その他必要な処理（Ｓ１６０−４−７−１３）が行われた後、この特別図柄変動パターン作成処理（Ｓ１６０−４−７）が終了する。尚、ここで選択された変動コマンドはサブ制御基板２０５へ送信される。
【０１２２】
上記特別図柄変動パターン作成処理（Ｓ１６０−４−７）に次いで特別図柄乱数シフト処理（Ｓ１６０−４−８）が行われる。特別図柄乱数シフト処理（Ｓ１６０−４−８）では、上記主制御基板２００のＲＡＭにおける特別図柄変動保留球数のデータ記憶領域において、ロード（読み出し）順位一位のアドレスの記憶領域に記憶されていた特別図柄主要乱数値（大当たり乱数値、リーチ乱数値、変動パターン乱数値）等のデータが、先の処理でロードされて空席となることに起因して、ロード順位が二位以降のアドレスに記憶されている特別図柄主要乱数値（大当たり乱数値、リーチ乱数値、変動パターン乱数値）等のデータについて、ロード順位を一つずつ繰り上げるアドレスのシフトが行われる。
【０１２３】
具体的には、図１３に示すように、まず、当否判定手段（特典付与判定手段）の判定結果に基づく特別図柄（識別図柄）の変動表示が行われることにより、上記主制御基板２００のＲＡＭに記憶されていた上記特別図柄変動保留球数から１減算（例えば保留球数２のものは１にされ、３のものは２にされる等）され（Ｓ１６０−４−８−１）、次に各保留球数に対応するデータが各保留球数から１減算した保留球数のＲＡＭアドレスにシフトされ（Ｓ１６０−４−８−２）、続いて最下位（ロード順位が最後、本実施例では４個目）の保留球数に対応するＲＡＭアドレスに０がセットされる（Ｓ１６０−４−８−３）。
【０１２４】
上記特別図柄乱数シフト処理（Ｓ１６０−４−８）に次いで、特別図柄変動開始設定処理（Ｓ１６０−４−９）が行われる。特別図柄変動開始設定処理（Ｓ１６０−４−９）では、特別図柄の変動開始に必要なコマンドの準備等の設定が行われる。上記特別図柄変動開始設定処理（Ｓ１６０−４−９）の次に、特別動作ステータスが２に設定され（Ｓ１６０−４−１０）、待機中が解除され（Ｓ１６０−４−１１）、上記特別図柄待機処理（Ｓ１６０−４）が終了する。
【０１２５】
上記特別動作ステータスが２の場合に行われる変動中処理（Ｓ１６０−５）では、図１４に示すように、特別動作タイマ判定処理が行われる（Ｓ１６０−５−１）。詳しくは、特別図柄の変動時間（変動パターンの変動時間）が終了したか否か（動作タイマ＝０か否か）が判断され（Ｓ１６０−５−２）、変動時間が終了していなければこの変動中処理（Ｓ１６０−５）が終了する。一方、変動時間が終了していれば変動停止コマンドがセットされる（Ｓ１６０−５−３）。続いて特別動作ステータスが３にセットされ（Ｓ１６０−５−４）、その他必要な処理（Ｓ１６０−５−５）が行われた後に、この変動中処理（Ｓ１６０−５）が終了する。
【０１２６】
上記特別動作ステータスが３の場合に行われる特別図柄確定処理（Ｓ１６０−６）では、図１５に示すように、まず大当たりフラグがＯＮ（「１」）か否か、すなわち大当たりか否か判断される（Ｓ１６０−６−１）。大当たりフラグがＯＮ、すなわち大当たりの場合には、１５Ｒ当たりラウンドカウンタがセットされ（Ｓ１６０−６−２）、特別動作ステータスが４にセットされた（Ｓ１６０−６−３）後、この特別図柄確定処理（Ｓ１６０−６）が終了する。一方、上記Ｓ１６０−６−１で大当たりフラグがＯＦＦ、即ち、外れと判断された場合には、特別動作ステータスが１にセットされ（Ｓ１６０−６−４）、この特別図柄確定処理（Ｓ１６０−６）が終了する。
【０１２７】
上記特別動作ステータスが４の場合に行われる特別電動役物処理（Ｓ１６０−７）では、図１６に示すように、確変フラグがＯＦＦされ（Ｓ１６０−７−１）、大当たりのオープニングが実施されたか否か（これから大当たりが始まる旨の映像が表示部１１に表示されたか否か等）が確認される（Ｓ１６０−７−２）。大当たりオープニングが実施されていない場合には、大当たりオープニングが実施され、若しくは、大当たりオープニングが実施されたことが確認された場合には、その後に、大当たり終了フラグがＯＮ（「１」）か否か判断される（Ｓ１６０−７−３）。
【０１２８】
そして、大当たり終了フラグがＯＮではない、即ち、大当たり遊技終了ではない場合には、現在大入賞口４５が開放中か否か判断され（Ｓ１６０−７−４）、開放中ではなく閉鎖中の場合には大入賞口４５の開放時間か否か判断される（Ｓ１６０−７−５）。大入賞口４５の開放時間の場合には大入賞口の開放処理が行われ（Ｓ１６０−７−６）、その後に、この特別電動役物処理（Ｓ１６０−７）が終了する。それに対して、大入賞口４５の開放時間となっていないときには、この特別電動役物処理（Ｓ１６０−７）が終了する。
【０１２９】
一方、上記Ｓ１６０−７−４で大入賞口４５が開放中と判断されると、大入賞口４５に１０個遊技球が入賞（Ｓ１６０−７−７）、若しくはラウンド終了時間経過（Ｓ１６０−７−８）の何れかであるか否か判断され、何れでもない場合にはそのままこの特別電動役物処理（Ｓ１６０−７）が終了する。それに対して、大入賞口４５に１０個遊技球が入賞、若しくはラウンド終了時間経過の何れかである場合には、大入賞口閉鎖処理（Ｓ１６０−７−９）とラウンドカウンタの値から１減算する処理（Ｓ１６０−７−１０）が行われる（上述したように、本実施形態では大当たり遊技のラウンド数が１５Ｒであるため、１５から減算が開始される）。尚、上記大入賞口閉鎖処理（Ｓ１６０−７−９）では、大入賞口閉鎖のコマンドが出力バッファにセットされる。
【０１３０】
続いて、ラウンドカウンタが０か否か判断され（Ｓ１６０−７−１１）、ラウンドカウンタが０ではない場合には、そのままこの特別電動役物処理（Ｓ１６０−７）が終了し、それに対して、ラウンドカウンタが０の場合には、大当たり終了処理（Ｓ１６０−７−１２）が行われる。その後、大当たり終了フラグがＯＮにされ（Ｓ１６０−７−１３）、この特別電動役物処理（Ｓ１６０−７）が終了する。
【０１３１】
それに対し、上記Ｓ１６０−７−３で大当たり終了フラグがＯＮ（「１」）、すなわち大当たり終了と判断されると、大当たり終了フラグをＯＦＦにセットする処理（Ｓ１６０−７−１４）と、大当たりフラグをＯＦＦにする処理（Ｓ１６０−７−１５）が行われ、その後にぞろ目となって停止した特別図柄が確変図柄（奇数揃い）か否かが確認される（Ｓ１６０−７−１６）。停止した特別図柄が確変図柄の場合には、再び確変フラグがＯＮにされる（Ｓ１６０−７−１７）。その後、特別動作ステータスが１にセットされ（Ｓ１６０−７−１８）、この特別電動役物処理（Ｓ１６０−７）が終了する。一方、上記Ｓ１６０−７−１６において、停止した特別図柄が確変図柄でない場合には、確変フラグをＯＮにすることなく（ＯＦＦにした状態のまま）、特別動作ステータスが１にセットされ（Ｓ１６０−７−１８）、この特別電動役物処理（Ｓ１６０−７）が終了する。
【０１３２】
上記特別動作処理（Ｓ１６０）の次に保留球数処理（Ｓ１７０）が行われる。保留球数処理（Ｓ１７０）では、図１７に示すように、現在の特図、普通図柄の保留球数がロードされ（Ｓ１７０−１）、保留球数が特図保留コマンド、普図保留コマンドとして出力バッファにセットされる（Ｓ１７０−２）。この保留球数処理（Ｓ１７０）により、上記主制御基板２００のＲＡＭ（保留記憶手段）の保留球数に関する記憶がサブ制御基板２０５へ出力されるようにセットされる。
【０１３３】
保留球数処理（Ｓ１７０）の次に、その他の処理（Ｓ１８０）が行われる。その他の処理（Ｓ１８０）では、遊技に必要なその他の様々な処理が必要に応じて行われる。
【０１３４】
次に、上記サブ制御基板２０５が行う処理について説明する。上記サブ制御基板２０５が行うサブ制御メイン処理（Ｓ２００）では、図１８に示すように、先ず、ＣＰＵ初期化処理が行われる（Ｓ２０１）。詳しくは、スタックの設定、ＣＰＵの設定、ＳＩＯ、ＣＴＣの設定等が行われる。そして、電源断信号がＯＮした際に、サブ制御基板２０５のＲＡＭに記憶されている内容が正常か否かが判断され（Ｓ２０２）、正常な場合にはそのままループ処理が行われる。一方、ＲＡＭに記憶されている内容が正常でない場合には、ＲＡＭが初期化された後（Ｓ２０３）、ループ処理が行われる。
【０１３５】
このようなサブ制御メイン処理（Ｓ２００）を行うサブ制御基板２０５は、図１９に示すような受信割り込み処理（Ｓ３００）を行う。受信割り込み処理（Ｓ３００）は、主制御基板２００からのコマンド（制御信号）を受信するための処理である。受信割り込み処理（Ｓ３００）では、先ず、上記主制御基板２００からのストローブ（ＳＴＢ）信号がＯＮか確認され（Ｓ３０１）、ストローブ信号がＯＮ、すなわち外部ＩＮＴ入力部にストローブ信号が入力されると、上記主制御基板２００から出力されたコマンド（制御信号）の受信およびＲＡＭへの格納が行われる（Ｓ３０２）。ここで主制御基板２００から受信するコマンドには、入賞コマンド、変動コマンド、大当たり判定データ、保留数データ等が含まれる。一方、ストローブ信号がＯＮになっていなければ、その時点でこの受信割り込み処理（Ｓ３００）が終了する。
【０１３６】
また、サブ制御基板２０５は、図２０に示すような２ｍｓタイマ割り込み処理（Ｓ４００）を行う。２ｍｓタイマ割り込み処理（Ｓ４００）では、データ出力処理（Ｓ４０１）、入力処理（Ｓ４０２）、ウォッチドッグタイマ処理（Ｓ４０３）が行われる。データ出力処理（Ｓ４０１）では、ランプ点灯パターンや音声パターン等を２ｍｓ毎に作成して出力する処理や駆動物を駆動するための制御データが作成される。入力処理（Ｓ４０２）では、例えば、遊技ボタンスイッチ６７の操作状況が入力される。ウォッチドッグタイマ処理（Ｓ４０３）では、ウォッチドッグタイマをリセットする処理が行われる。
【０１３７】
また、サブ制御基板２０５は、図２１に示すような１０ｍｓタイマ割り込み処理（Ｓ５００）を行う。１０ｍｓタイマ割り込み処理（Ｓ５００）では、スイッチ状態取得処理（Ｓ５０１）、コマンド受信許可確認処理（Ｓ５０２）、下皿状態確認処理（Ｓ５０３）、ループシナリオ再設定処理（Ｓ５０４）、コマンド監視処理（Ｓ５０５）、ランプ処理（Ｓ５０６）、スイッチ処理（Ｓ５０７）、コマンド送信処理（Ｓ５０８）等が行われる。
【０１３８】
スイッチ状態取得処理（Ｓ５０１）では、２ｍｓタイマ割り込み処理で作成したスイッチデータが１０ｍｓタイマ割り込み処理用のスイッチデータとして格納することが行われる。コマンド受信許可確認処理（Ｓ５０２）では、ＲＡＭクリア時等の演出禁止期間の判定が行われる。下皿状態確認処理（Ｓ５０３）では、下側球受け皿３７の満杯報知用タイマ設定が行われる。ループシナリオ再設定処理（Ｓ５０４）では、客待ち演出等の一定間隔で行う演出の設定が行われる。
【０１３９】
コマンド監視処理（Ｓ５０５）では、主制御基板２００から受信したコマンド（制御信号）を解析し、コマンドに対応した処理が行われる。図２２に示すように、コマンド監視処理（Ｓ５０５）では、先ず、主制御基板２００からコマンド（制御信号）を受信したか否かが判断される（Ｓ５０５−１）。主制御基板２００からコマンドを受信していないときには、このコマンド監視処理（Ｓ５０５）は終了する。
【０１４０】
一方、主制御基板２００からコマンドを受信したときには、そのコマンドが上記変動コマンドか否かが判断され（Ｓ５０５−２）、変動コマンドでない場合には、客待ちコマンドか否かが判断される（Ｓ５０５−３）。変動コマンドでもなく、客待ちコマンドでもない場合には、その他のコマンド処理を実施し（Ｓ５０５−４）、コマンド監視処理（Ｓ５０５）は終了する。
【０１４１】
それに対して、上記Ｓ５０５−３において、受信されたコマンドが客待ちコマンドである場合には、客待ちコマンド処理を行い（Ｓ５０５−５）、コマンド監視処理（Ｓ５０５）は終了する。客待ちコマンド処理（Ｓ５０５−５）は、例えば楽曲中であればその楽曲の音量がフェードアウトするように音声制御基板２２０に制御させる処理等を含むものである。尚、客待ちコマンド処理（Ｓ５０５−５）は、上記メイン処理において、大当たりおよび普通図柄当たりの当否判定を行う保留がないとき（保留が全て消化されたとき）に、特別図柄および普通図柄が停止した後、主制御基板２００から送信されるコマンドである。
【０１４２】
上記Ｓ５０５−２において、受信されたコマンドが変動コマンドである場合には、保留予告演出パターンが含まれた保留予告演出コマンドか否かが判断される（Ｓ５０５−６）。この保留予告演出パターンは、特別図柄の変動が開始した後、変動停止又は仮変動停止までの間に、保留球数として表示部１１に表示された各保留アイコン８３Ａ〜８３Ｄのうち、保留予告演出コマンドに含まれた「表示順番」（本願の「保留位置」に相当する。）に対応する対象保留アイコンの色を白色、青色、緑色、赤色、虹色のうちのいずれかの色に段階的に変化させ、又は、当該変動中の大当たりになる信頼度を表す模擬アイコン８２の色を白色、青色、緑色、赤色、虹色のうちのいずれかの色に段階的に変化させて、大当たりになる可能性を予告する演出パターンである。
【０１４３】
ここで、図３２に示すように、対象保留アイコン、模擬アイコン８２、及び後述の示唆アイコン（本願の「示唆表示」に相当する。）８６（図３５参照）の白色、青色、緑色、赤色、虹色の表示態様は、この色の順に、大当たりとなる信頼度が高いことを意味している。具体的には、白色は、通常の表示態様である。青色の表示態様は、「リーチ以上」になる可能性が高いことを示唆している。緑色の表示態様は、「スーパーリーチ以上」になる可能性が高いことを示唆している。赤色の表示態様は、大当たりになれば「通常大当たり」以上になる可能性が高いことを示唆している。虹色の表示態様は、大当たりになれば「確変大当たり」になる可能性が高いことを示唆している。
【０１４４】
そして、受信された変動コマンドに保留予告演出パターンが含まれた保留予告演出コマンドでない場合、つまり、通常変動パターンが含まれた通常変動コマンドの場合には、通常変動コマンド処理を行い（Ｓ５０５−７）、コマンド監視処理（Ｓ５０５）は終了する。一方、受信された変動コマンドに保留予告演出パターンが含まれた保留予告演出コマンドの場合には、図２３乃至図３１にフローの詳細を示す保留予告演出コマンド処理を行い（Ｓ５０５−８）、コマンド監視処理（Ｓ５０５）は終了する。
【０１４５】
通常変動コマンド処理（Ｓ５０５−７）、保留予告演出コマンド処理（Ｓ５０５−８）は、上記特別図柄変動パターン作成処理（Ｓ１６０−４−７）で設定された変動パターンを踏まえた上で、より具体的な演出（表示装置１０を用いたいわゆるスーパーリーチ演出等）を選択・実行する処理であり、上記演出乱数用カウンタ等を用いて演出態様（演出パターン）を決定して、特典（通常大当たり又は確変大当たり等）の付与、又は、外れを報知する処理である。
【０１４６】
このような通常変動コマンド処理（Ｓ５０５−７）、保留予告演出コマンド処理（Ｓ５０５−８）を含むコマンド監視処理（Ｓ５０５）の後、ランプ処理（Ｓ５０６）において出力するランプデータの作成を行う。その後、スイッチ処理（Ｓ５０７）では、スイッチ有効時間の管理および動作の設定を行う。また、スイッチ状態取得処理で格納したデータに基づく処理を行う。続いて、コマンド送信処理（Ｓ５０８）では、送信コマンドがある場合には当該コマンドが送信される。これにより、１０ｍｓタイマ割り込み処理（Ｓ５００）が終了する。尚、遊技機１の機能等に合わせて、１０ｍｓタイマ割り込み処理（Ｓ５００）にその他の処理を含めてもよい。
【０１４７】
次に、保留予告演出パターンを実行する場合の上記保留予告演出コマンド処理（Ｓ５０５−８）について図２３〜図４９に基づいて詳細に説明する。保留予告演出コマンド処理（Ｓ５０５−８）では、図２３に示すように、先ず、受信されたが変動コマンドが、「大当たりになる保留アイコンの表示順番（大当たりになる保留情報）」を含んだ変動コマンド（保留予告演出コマンド）か否か（先読み大当たりか否か）が判断される（Ｓ５０５−８−１）。そして、「大当たりになる保留アイコンの表示順番（大当たりになる保留情報）」を含んだ変動コマンドであると判断された場合には（Ｓ５０５−８−１）、変動コマンドに含まれた保留予告演出パターンが「第１演出パターン」であるか否かが判断される（Ｓ５０５−８−２）。
【０１４８】
そして、変動コマンドに含まれた保留予告演出パターンが「第１演出パターン」であると判断された場合には（Ｓ５０５−８−２）、図２４、図３３の上段、図３５〜図３８に詳細を示す「第１演出パターン」の当たり保留予告演出表示、つまり、「第１演出パターン」の当たり先読み予告演出表示が実行される。図２４に示すように、先ず、ＲＯＭから「第１演出パターン」のタイミングチャート（図３３の上段参照）が読み出され、予告演出の開始から示唆アイコン（本願の「示唆表示」に相当する。）８６を青色に設定するタイミングＴＡ１（秒）、リーチ演出の開始タイミングＴＳ１（秒）、変動終了タイミングＴ１（秒）の各タイミングがＲＡＭに記憶される（Ｓ５０５−８−２−１）。（示唆アイコン（示唆表示）８６が信頼度に対応した表示をするのが、本願の「示唆表示手段」に相当する。）
【０１４９】
続いて、表示装置１０の表示部１１に左、中、右特別図柄８１Ａ〜８１Ｃの変動が開始されると共に、ボールの形状を模した各保留アイコン８３Ａ〜８３Ｄのうちの保留球数に対応する個数の保留アイコンが表示部１１の下端中央部に白色で表示される。また、現在変動中の大当たりになる信頼度を表すボールの形状を模した模擬アイコン８２が、表示部１１の左下角部に白色で表示される（図３５（１））（Ｓ５０５−８−２−２）。
【０１５０】
また、表示部１１に表示されている各保留アイコン８３Ａ〜８３Ｄのうち、「大当たりになる保留アイコンの表示順番（大当たりになる保留情報）」に基づいて対応する保留アイコン（保留記憶情報）に、色を変更する「対象保留アイコン（対象保留）」として内部的に設定される（本願の「保留位置選択手段」に相当する。）（Ｓ５０５−８−２−２）。例えば、図３５（１）に示すように、保留予告演出コマンドに含まれていた「大当たりになる保留アイコンの表示順番（大当たりになる保留情報）」が「２番目」に設定されていた場合には、左から２番目に表示されている保留アイコン８３Ｂが「対象保留アイコン（対象保留）」に設定され、ＲＡＭに記憶される（Ｓ５０５−８−２−２）。尚、点線で示される星印は、「対象保留アイコン（対象保留）」を表す説明上の目印であり、表示部１１には表示されていない。
【０１５１】
そして、表示部１１の右上に太線四角枠の時間経過表示器８５が表示されると共に、この時間経過表示器８５に待機状態である旨を表す「待機中」の文字が表示される（図３５（１））（Ｓ５０５−８−２−３）。また、時間経過表示器８５の上端中央部に、大当たりへの期待度を示唆するボールの形状を模した示唆アイコン８６が、通常の表示状態である白色で停止表示される（図３５（１））（Ｓ５０５−８−２−３）。
【０１５２】
その後、外れ図柄の左、中、右特別図柄８１Ａ、８１Ｂ、８１Ｃが、表示部１１の中央部に大きく変動停止されて、通常外れが付与された旨が報知される（図３５（２））（Ｓ５０５−８−２−４）。また、表示部１１の右上に「待機中」の文字が表示された状態の時間経過表示器８５が表示されると共に、時間経過表示器８５の上端中央部に、白色の示唆アイコン８６が停止表示された状態が維持される（図３５（２））（Ｓ５０５−８−２−４）。
【０１５３】
続いて、左、中、右特別図柄８１Ａ〜８１Ｃの次の変動開始時に、各保留アイコン８３Ａ〜８３Ｄのうち、左端に表示される保留アイコン８３Ａが「対象保留アイコン（対象保留）」に設定されているか否かが判断される（Ｓ５０５−８−２−５）。即ち、保留されている次の左、中、右特別図柄８１Ａ〜８１Ｃの変動時に、先読み予告演出を行うか否かが判断される。
【０１５４】
そして、左、中、右特別図柄８１Ａ〜８１Ｃの次の変動開始時に、各保留アイコン８３Ａ〜８３Ｄのうち、左端に表示される保留アイコン８３Ａが「対象保留アイコン（対象保留）」に設定されていないと判断された場合には（Ｓ５０５−８−２−５）、表示部１１に表示されている各保留アイコン８３Ｂ〜８３Ｄが左側へ移動表示されて、新たな各保留アイコン８３Ａ〜８３Ｃに設定された後、再度、Ｓ５０５−８−２−２以降の処理が実行される。
【０１５５】
一方、左、中、右特別図柄８１Ａ〜８１Ｃの次の変動開始時に、各保留アイコン８３Ａ〜８３Ｄのうち、左端に表示される保留アイコン８３Ａが「対象保留アイコン（対象保留）」に設定されていると判断された場合には（Ｓ５０５−８−２−５）、表示部１１に表示されている各保留アイコン８３Ｂ〜８３Ｄが左側へ移動表示されて、新たな各保留アイコン８３Ａ〜８３Ｃに設定される（図３５（３））。そして、表示装置１０の表示部１１に左、中、右特別図柄８１Ａ〜８１Ｃの変動が開始された後、時間経過表示器８５に予め設定された時間、例えば、「１０：００」（秒）が設定され、時間表示欄に表示され（時間表示欄への時間表示が、本願の「時間経過表示手段」に相当する。）、先読み予告演出が開始される（図３５（３））（Ｓ５０５−８−２−６）。尚、この時間は、予め第１演出パターンに対応付けてＲＯＭに記憶されている。
【０１５６】
続いて、時間経過表示器８５に表示されている時間の減算表示が開始されると共に、時間の計測が開始される（Ｓ５０５−８−２−７）。また同時に、白色の示唆アイコン８６が時間経過表示器８５上を左右全幅に渡って往復転動する往復移動表示が開始されて先読み予告演出が開始される（Ｓ５０５−８−２−８）。そして、示唆アイコン８６を青色に設定するタイミングＴＡ１（秒）、例えば、「０６：００」（秒）がＲＡＭから読み出され、時間経過表示器８５に減算表示される時間が、示唆アイコン８６を青色に設定するタイミングＴＡ１（秒）、例えば、「０６：００」（秒）に達するまで待つ（Ｓ５０５−８−２−９）。
【０１５７】
そして、時間経過表示器８５に減算表示される時間が、示唆アイコン８６を青色に設定するタイミングＴＡ１（秒）、例えば、「０６：００」（秒）に達した場合には（Ｓ５０５−８−２−９）、示唆アイコン８６が時間経過表示器８５の右端位置に移動した際に、当該示唆アイコン８６の色が白色から青色に変更設定される（図３６（４））（Ｓ５０５−８−２−１０）。その後、青色の示唆アイコン８６が時間経過表示器８５上を左右全幅に渡って往復転動する往復移動表示が開始される（Ｓ５０５−８−２−１０）。これにより、遊技者に対して、リーチ以上になる遊技が実行される旨が示唆される。つまり、時間経過表示器８５に減算表示される時間が「００：００」に達する前に示唆アイコン８６の色が変化可能に構成されている。（示唆アイコン（示唆表示）８６の表示態様を変化させるのが、本願の「第１表示制御手段」に相当する。）
【０１５８】
続いて、時間経過表示器８５の減算表示される時間が「００：００」に達するまで、青色の示唆アイコン８６が時間経過表示器８５上を左右全幅に渡って往復移動表示される（Ｓ５０５−８−２−１１）。そして、時間経過表示器８５の減算表示される時間が「００：００」（秒）に達した場合には（Ｓ５０５−８−２−１１）、青色の示唆アイコン８６は、時間経過表示器８５の左端位置に移動した際に、「対象保留アイコン（対象保留）」に設定されている保留アイコン８３Ａに向かって飛ぶように移動表示され、当該保留アイコン８３Ａに当てられる。
【０１５９】
そして、青色の示唆アイコン８６が保留アイコン８３Ａに当たった後、削除される（消える）と共に、当該保留アイコン８３Ａが白色から青色に設定され（本願の「第２表示制御手段」、「信頼度表示手段」に相当する。）、遊技者に対して、次の左、中、右特別図柄８１Ａ〜８Ｃの変動表示は、リーチ以上になる可能性が高いことが示唆される（図３６（５）−（６））（Ｓ５０５−８−２−１２）。つまり、保留アイコン８３Ａが「信頼度表示」となる。その後、外れ図柄の左、中、右特別図柄８１Ａ、８１Ｂ、８１Ｃが、表示部１１の中央部に大きく変動停止されて、通常外れが付与された旨が報知される（図３７（７））（Ｓ５０５−８−２−１３）。
【０１６０】
続いて、青色の保留アイコン８３Ａが削除されて（移動して当該保留の変動が開始される場合）、表示部１１に表示されている各保留アイコン８３Ｂ〜８３Ｄが左側へ移動表示されて、新たな各保留アイコン８３Ａ〜８３Ｃに設定された後、模擬アイコン８２が白色から青色に設定される（図３７（８））（Ｓ５０５−８−２−１４）。また、時間経過表示器８５が表示部１１から削除される（消える）（図３７（８））（Ｓ５０５−８−２−１４）。
【０１６１】
そして、リーチ演出の開始タイミングＴＳ１（秒）がＲＡＭから読み出され、先読み予告演出が開始されてからリーチ演出の開始タイミングＴＳ１（秒）が経過した場合には、表示装置１０の表示部１１に左、中、右特別図柄８１Ａ〜８１Ｃの変動が開始される（図３７（８））（Ｓ５０５−８−２−１５）。これにより、遊技者に対して、現在の左、中、右特別図柄８１Ａ〜８Ｃの変動表示は、リーチ以上になる可能性が高いことが示唆される（図３７（８））。
【０１６２】
そして、表示装置１０の表示部１１の中央部に左、中、右特別図柄８１Ａ〜８１Ｃの変動が大きく表示され、左、中、右特別図柄８１Ａ〜８１Ｃのうち、左特別図柄８１Ａと右特別図柄８１Ｃが当たり図柄（例えば、「７」である。）で停止し、中特別図柄８１Ｂだけが変動しているリーチ変動状態となる（図３７（９））（Ｓ５０５−８−２−１６）。
【０１６３】
続いて、変動終了タイミングＴ１（秒）がＲＡＭから読み出され、先読み予告演出が開始されてから変動終了タイミングＴ１（秒）が経過するのを待つ。つまり、リーチ変動状態の表示時間が経過するまで待つ（Ｓ５０５−８−２−１７）。そして、先読み予告演出が開始されてから変動終了タイミングＴ１（秒）が経過した場合、つまり、リーチ変動状態の表示時間が経過した場合には、表示部１１の中央部に左、中、右特別図柄８１Ａ〜８１Ｃが、『７、７、７』等のぞろ目で変動停止されて、大当たりが確定された旨が報知され（図３８（１０Ａ））（Ｓ５０５−８−２−１８）、当該保留予告演出コマンド処理が終了する。
【０１６４】
他方、上記Ｓ５０５−８−２で変動コマンドに含まれた保留予告演出パターンが「第１演出パターン」でないと判断された場合には（Ｓ５０５−８−２）、変動コマンドに含まれた保留予告演出パターンが「第２演出パターン」であるか否かが判断される（Ｓ５０５−８−３）。
【０１６５】
そして、変動コマンドに含まれた保留予告演出パターンが「第２演出パターン」であると判断された場合には（Ｓ５０５−８−３）、図２５、図３３の下段、図３５（１）〜図３６（４）、図３９〜図４１に詳細を示す「第２演出パターン」の当たり保留予告演出表示、つまり、「第２演出パターン」の当たり先読み予告演出表示が実行される。図２５に示すように、先ず、ＲＯＭから「第２演出パターン」のタイミングチャート（図３３の下段参照）が読み出され、予告演出の開始から示唆アイコン８６を青色に設定するタイミングＴＡ１（秒）、示唆アイコン８６を緑色に設定するタイミングＴＡ２（秒）、スーパーリーチ演出の開始タイミングＴＳ１（秒）、変動終了タイミングＴ２（秒）の各タイミング等がＲＡＭに記憶される（Ｓ５０５−８−３−１）。
【０１６６】
続いて、Ｓ５０５−８−３−２〜Ｓ５０５−８−３−１０において、上記Ｓ５０５−８−２−２〜Ｓ５０５−８−２−１０の処理が実行される（図３５（１）〜図３６（４））。その後、示唆アイコン８６を緑色に設定するタイミングＴＡ２（秒）、例えば、「０３：００」（秒）がＲＡＭから読み出され、時間経過表示器８５に減算表示される時間が、示唆アイコン８６を緑色に設定するタイミングＴＡ２（秒）、例えば、「０３：００」（秒）に達するまで待つ（Ｓ５０５−８−３−１１）。つまり、ここでも時間経過表示器８５に減算表示される時間が「００：００」に達する前に示唆アイコン８６の色が変化可能に構成されている。（示唆アイコン（示唆表示）８６の表示態様を変化させるのが、本願の「第１表示制御手段」に相当する。）
【０１６７】
そして、時間経過表示器８５に減算表示される時間が、示唆アイコン８６を緑色に設定するタイミングＴＡ２（秒）、例えば、「０３：００」（秒）に達した場合には（Ｓ５０５−８−３−１１）、示唆アイコン８６が時間経過表示器８５の右端位置に移動した際に、当該示唆アイコン８６の色が青色から緑色に変更設定される（図３９（１１））（Ｓ５０５−８−３−１２）。その後、緑色の示唆アイコン８６が時間経過表示器８５上を左右全幅に渡って往復転動する往復移動表示が開始される（Ｓ５０５−８−３−１２）。これにより、遊技者に対して、スーパーリーチ以上になる遊技が実行される旨が示唆される。
【０１６８】
続いて、時間経過表示器８５の減算表示される時間が「００：００」に達するまで、緑色の示唆アイコン８６が時間経過表示器８５上を左右全幅に渡って往復移動表示される（Ｓ５０５−８−３−１３）。そして、時間経過表示器８５の減算表示される時間が「００：００」（秒）に達した場合には（Ｓ５０５−８−３−１３）、緑色の示唆アイコン８６は、時間経過表示器８５の左端位置に移動した際に、「対象保留アイコン（対象保留）」に設定されている保留アイコン８３Ａに向かって飛ぶように移動表示され、当該保留アイコン８３Ａに当てられる。
【０１６９】
そして、緑色の示唆アイコン８６が保留アイコン８３Ａに当たった後、削除される（消える）と共に、当該保留アイコン８３Ａが白色から緑色に設定され（本願の「第２表示制御手段」、「信頼度表示手段」に相当する。）、遊技者に対して、次の左、中、右特別図柄８１Ａ〜８Ｃの変動表示は、スーパーリーチ以上になる可能性が高いことが示唆される（図３９（１２）−（１３））（Ｓ５０５−８−３−１４）。つまり、保留アイコン８３Ａが信頼度表示となる。その後、外れ図柄の左、中、右特別図柄８１Ａ、８１Ｂ、８１Ｃが、表示部１１の中央部に大きく変動停止されて、通常外れが付与された旨が報知される（図４０（１４））（Ｓ５０５−８−３−１５）。
【０１７０】
続いて、緑色の保留アイコン８３Ａが削除されて（移動して当該保留の変動が開始される場合）、表示部１１に表示されている各保留アイコン８３Ｂ〜８３Ｄが左側へ移動表示されて、新たな各保留アイコン８３Ａ〜８３Ｃに設定された後、模擬アイコン８２が白色から緑色に設定される（図４０（１５））（Ｓ５０５−８−３−１６）。また、時間経過表示器８５が表示部１１から削除される（消える）（図４０（１５））（Ｓ５０５−８−３−１６）。
【０１７１】
そして、スーパーリーチ演出の開始タイミングＴＳ１（秒）がＲＡＭから読み出され、先読み予告演出が開始されてからスーパーリーチ演出の開始タイミングＴＳ１（秒）が経過した場合には、表示装置１０の表示部１１に左、中、右特別図柄８１Ａ〜８１Ｃの変動が開始される（図４０（１５））（Ｓ５０５−８−３−１７）。これにより、遊技者に対して、現在の左、中、右特別図柄８１Ａ〜８Ｃの変動表示は、スーパーリーチ以上になる可能性が高いことが示唆される（図４０（１５））。
【０１７２】
そして、表示装置１０の表示部１１の中央部に左、中、右特別図柄８１Ａ〜８１Ｃの変動が大きく表示され、左、中、右特別図柄８１Ａ〜８１Ｃのうち、左特別図柄８１Ａと右特別図柄８１Ｃが当たり図柄（例えば、「７」である。）で停止し、中特別図柄８１Ｂだけが変動しているリーチ変動状態となる（図４０（１６））（Ｓ５０５−８−３−１８）。
【０１７３】
続いて、表示部１１の左上側に当該リーチ変動状態が小さく表示されると共に、表示部１１の右上側に「スーパーリーチ」の文字が小さく表示される（図４１（１７））（Ｓ５０５−８−３−１９）。また、客側キャラクタ８８と敵キャラクタ８９を表示部１１の略中央部に出現させて、客側キャラクタ８８と敵キャラクタ８９とを対峙させた後、格闘させる（図４１（１７））（Ｓ５０５−８−３−１９）。
【０１７４】
その後、格闘により倒された状態の敵キャラクタ８９が表示部１１の略中央部に表示されると共に、立っている状態の客側キャラクタ８８が敵キャラクタ８９の横側に表示される（図４１（１８Ａ））（Ｓ５０５−８−３−１９）。また、表示部１１の左上側に、左、中、右特別図柄８１Ａ〜８１Ｃが、『７、７、７、』等のぞろ目で変動停止され、大当たりが付与された旨が報知される（図４１（１８Ａ））（Ｓ５０５−８−３−１９）。
【０１７５】
続いて、変動終了タイミングＴ２（秒）がＲＡＭから読み出され、先読み予告演出が開始されてから変動終了タイミングＴ２（秒）が経過するのを待つ。つまり、スーパーリーチ演出の表示時間が経過するまで待つ（Ｓ５０５−８−３−２０）。そして、先読み予告演出が開始されてから変動終了タイミングＴ２（秒）が経過した場合、つまり、スーパーリーチ演出の表示時間が経過した場合には、表示部１１の中央部に左、中、右特別図柄８１Ａ〜８１Ｃが、『７、７、７』等のぞろ目で変動停止されて、大当たりが確定された旨が報知され（図４１（１９Ａ））（Ｓ５０５−８−３−２１）、当該保留予告演出コマンド処理が終了する。
【０１７６】
また他方、上記Ｓ５０５−８−３で変動コマンドに含まれた保留予告演出パターンが「第２演出パターン」でないと判断された場合には（Ｓ５０５−８−３）、変動コマンドに含まれた保留予告演出パターンが「第３演出パターン」であるか否かが判断される（Ｓ５０５−８−４）。
【０１７７】
そして、変動コマンドに含まれた保留予告演出パターンが「第３演出パターン」であると判断された場合には（Ｓ５０５−８−４）、図２６、図２７、図３４の上段、図３５（１）〜図３６（４）、図４２〜図４６に詳細を示す「第３演出パターン」の当たり保留予告演出表示、つまり、「第３演出パターン」の当たり先読み予告演出表示が実行される。図２６に示すように、先ず、ＲＯＭから「第３演出パターン」のタイミングチャート（図３４の上段参照）が読み出され、ＲＡＭに記憶される（Ｓ５０５−８−４−１）。
【０１７８】
具体的には、予告演出の開始から示唆アイコン８６を青色に設定するタイミングＴＡ１（秒）、示唆アイコン８６を仮停止するタイミングＴＡ２（秒）、時間経過表示器８５を再設定し減算を開始するタイミングＴＢ１（秒）、示唆アイコン８６を緑色に設定するタイミングＴＢ２（秒）、模擬アイコン８２を緑色に設定するタイミングＴＢ３（秒）、左、中、右特別図柄８１Ａ〜８Ｃを仮変動停止するタイミングＴＢ４（秒）、赤色の示唆アイコン等を設定するタイミングＴＣ１（秒）、模擬アイコンを赤色に設定してリーチ演出を開始するタイミングＴＳ２（秒）、変動終了タイミングＴ３（秒）の各タイミング等がＲＡＭに記憶される（Ｓ５０５−８−４−１）。
【０１７９】
続いて、Ｓ５０５−８−４−２〜Ｓ５０５−８−４−１０において、上記Ｓ５０５−８−２−２〜Ｓ５０５−８−２−１０の処理が実行される（図３５（１）〜図３６（４））。そして、時間経過表示器８５の減算表示される時間が「００：００」に達するまで、青色の示唆アイコン８６が時間経過表示器８５上を左右全幅に渡って往復移動表示される（Ｓ５０５−８−４−１１）。そして、時間経過表示器８５の減算表示される時間が「００：００」（秒）に達した場合には（Ｓ５０５−８−４−１１）、青色の示唆アイコン８６は、時間経過表示器８５の上端部の左右方向中央位置で停止表示される（図４２（２１））（Ｓ５０５−８−４−１２）。
【０１８０】
その後、外れ図柄の左、中、右特別図柄８１Ａ、８１Ｂ、８１Ｃが、表示部１１の中央部に大きく変動停止されて、通常外れが付与された旨が報知される（図４２（２２））（Ｓ５０５−８−４−１３）。そして、時間経過表示器８５の時間表示欄に、青色の示唆アイコン８６が再度、時間経過表示器８５上を左右全幅に渡って往復移動表示される旨を表す「継続」の文字が表示される（図４２（２３））（Ｓ５０５−８−４−１４）。
【０１８１】
そして、表示装置１０の表示部１１に左、中、右特別図柄８１Ａ〜８１Ｃの変動が開始されると共に、表示部１１に表示されている保留アイコン８３Ａが削除されて（移動して当該保留の変動が開始される場合）、表示部１１に表示されている各保留アイコン８３Ｂ〜８３Ｄが左側へ移動表示されて、新たな各保留アイコン８３Ａ〜８３Ｃに設定される（図４２（２３））（Ｓ５０５−８−４−１５）。また、削除された（移動して当該保留の変動が開始した場合）保留アイコン８３Ａが  保留予告演出コマンドに含まれていた「大当たりになる保留アイコンの表示順番（大当たりになる保留情報）」に対応する「対象保留アイコン（対象保留）」だった場合には、模擬アイコン８２が「対象保留アイコン（対象保留）」に設定され、ＲＡＭに記憶される（図４２（２３））（Ｓ５０５−８−４−１５）。尚、模擬アイコン８２の点線で示される星印は、「対象保留アイコン」を表す説明上の目印であり、表示部１１には表示されていない。
【０１８２】
続いて、時間経過表示器８５に予め設定された時間、例えば、「２０：００」（秒）が設定され、時間表示欄に表示される（図４３（２４））（Ｓ５０５−８−４−１６）。尚、この時間は、予め第３演出パターンに対応付けてＲＯＭに記憶されている。そして、時間経過表示器８５に表示されている時間の減算表示が開始される（Ｓ５０５−８−４−１７）。また同時に、青色の示唆アイコン８６が時間経過表示器８５上を左右全幅に渡って往復転動する往復移動表示が開始される（Ｓ５０５−８−４−１８）。
【０１８３】
その後、青色の示唆アイコン８６を緑色に設定するタイミングＴＢ２（秒）、例えば、「１２：００」（秒）がＲＡＭから読み出され、時間経過表示器８５に減算表示される時間が、示唆アイコン８６を緑色に設定するタイミングＴＢ２（秒）、例えば、「１２：００」（秒）に達するまで待つ（Ｓ５０５−８−４−１９）。
【０１８４】
そして、時間経過表示器８５に減算表示される時間が、青色の示唆アイコン８６を緑色に設定するタイミングＴＢ２（秒）、例えば、「１２：００」（秒）に達した場合には（Ｓ５０５−８−４−１９）、青色の示唆アイコン８６が時間経過表示器８５の右端位置に移動した際に、当該示唆アイコン８６の色が青色から緑色に変更設定される（図４３（２５））（Ｓ５０５−８−４−２０）。その後、緑色の示唆アイコン８６が時間経過表示器８５上を左右全幅に渡って往復転動する往復移動表示が開始される（Ｓ５０５−８−４−２０）。これにより、遊技者に対して、スーパーリーチ以上になる遊技が実行される可能性が高いことが示唆される。つまり、ここでも時間経過表示器８５に減算表示される時間が「００：００」に達する前に示唆アイコン８６の色が変化可能に構成されている。（示唆アイコン（示唆表示）８６の表示態様を変化させるのが、本願の「第１表示制御手段」に相当する。）
【０１８５】
続いて、時間経過表示器８５の減算表示される時間が「００：００」に達するまで、緑色の示唆アイコン８６が時間経過表示器８５上を左右全幅に渡って往復移動表示される（Ｓ５０５−８−４−２１）。そして、時間経過表示器８５の減算表示される時間が「００：００」（秒）に達した場合には（Ｓ５０５−８−４−２１）、緑色の示唆アイコン８６は、時間経過表示器８５の左端位置に移動した際に、「対象保留アイコン（対象保留）」に設定されている模擬アイコン８２に向かって飛ぶように移動表示され、当該模擬アイコン８２に当てられる。
【０１８６】
そして、緑色の示唆アイコン８６が模擬アイコン８２に当たった後、削除される（消える）と共に、当該模擬アイコンが白色から緑色に設定され（本願の「第２表示制御手段」、「信頼度表示手段」に相当する。）、遊技者に対して、現在の左、中、右特別図柄８１Ａ〜８Ｃの変動表示は、スーパーリーチ以上になる可能性が高いことが示唆される（図４３（２６））（Ｓ５０５−８−４−２２）。つまり、模擬アイコン８２が信頼度表示となる。
【０１８７】
その後、外れ図柄の左、中、右特別図柄８１Ａ、８１Ｂ、８１Ｃが、表示部１１の中央部に大きく仮変動停止される（図４４（２７））（Ｓ５０５−８−４−２３）。つまり、擬似的に変動図柄が停止しているように見せている。尚、「仮変動停止」とは、左、中、右特別図柄８１Ａ、８１Ｂ、８１Ｃが、微妙に上下若しくは左右等に揺れている状態や、僅かずつ回転している状態等を意味する。また、時間経過表示器８５の時間表示欄に、仮変動停止である旨（まだ変動が終わっていない旨）を表す。また、示唆アイコン８６が現れ、赤色の示唆アイコン８６が時間経過表示器８５上を左右全幅に渡って往復移動表示される旨を表す「継続」の文字が表示される（図４４（２７））（Ｓ５０５−８−４−２４）。
【０１８８】
尚、本実施例では「００：００」に達した時に示唆アイコン８６が模擬アイコン８２に向かって飛ぶように移動表示しているが、示唆アイコン８６をそのまま表示して、模擬アイコン８２に向かって飛ばない表示としてもよい。その際は、時間経過表示器８５の時間表示欄に、一時的に変動が停止したように見せる疑似停止状態で表し、その後に疑似停止状態だったので仮変動停止である旨（まだ変動が終わっていない旨）を表すと共に示唆アイコン８６には「仮変動停止」となった時の色を継続して表示するなどし、その後に、赤色に変化する場合としない場合があってもよい。（継続してから示唆アイコン（示唆表示）８６の表示態様が変化する場合も、本願の「第１表示制御手段」に相当する。また、継続しているので、その間は時間経過表示手段の「所定範囲内」に該当する。）つまり、「００：００」になったことで変動停止するように見せながらまだまだ変動が続く疑似変動を絡めた演出を行うことが可能となる。
【０１８９】
続いて、時間経過表示器８５に予め設定された時間、例えば、「１０：００」（秒）が設定され、時間表示欄に表示される（図４４（２８））（Ｓ５０５−８−４−２５）。尚、この時間は、予め第３演出パターンに対応付けてＲＯＭに記憶されている。また、赤色の示唆アイコン８６が、時間経過表示器８５の上端部の左右方向中央位置に停止表示される（図４４（２８））（Ｓ５０５−８−４−２６）。
【０１９０】
その後、表示部１１の中央部に仮変動停止されている左、中、右特別図柄８１Ａ、８１Ｂ、８１Ｃの２回目の変動表示、つまり、再変動が開始され、いわゆる疑似連続予告演出が開始される（図４４（２８））（Ｓ５０５−８−４−２７）。そして、時間経過表示器８５に表示されている時間の減算表示が開始される（図４４（２９））（Ｓ５０５−８−４−２８）。また同時に、赤色の示唆アイコン８６が時間経過表示器８５上を左右全幅に渡って往復転動する往復移動表示が開始される（図４４（２９））（Ｓ５０５−８−４−２９）。これにより、遊技者に対して、通常大当たりになる遊技が実行される可能性が高いことが示唆される。
【０１９１】
続いて、時間経過表示器８５の減算表示される時間が「００：００」に達するまで、赤色の示唆アイコン８６が時間経過表示器８５上を左右全幅に渡って往復移動表示される（Ｓ５０５−８−４−３０）。そして、時間経過表示器８５の減算表示される時間が「００：００」（秒）に達した場合には（Ｓ５０５−８−４−３０）、赤色の示唆アイコン８６は、時間経過表示器８５の左端位置に移動した際に、「対象保留アイコン（対象保留）」に設定されている緑色の模擬アイコン８２に向かって飛ぶように移動表示され、当該模擬アイコン８２に当てられる。
【０１９２】
そして、赤色の示唆アイコン８６が緑色の模擬アイコン８２に当たった後、削除される（消える）と共に、当該模擬アイコン８２が緑色から赤色に設定され（本願の「第２表示制御手段」、「信頼度表示手段」に相当する。）、遊技者に対して、現在の左、中、右特別図柄８１Ａ〜８Ｃの変動表示は、通常大当たりになる可能性が高いことが示唆される（図４５（３１））（Ｓ５０５−８−４−３１）。つまり、模擬アイコン８２が「信頼度表示」となる。また、時間経過表示器８５が表示部１１から削除される（消える）（図４５（３１））（Ｓ５０５−８−４−３１）。続いて、表示部１１の中央部に変動表示されている左、中、右特別図柄８１Ａ〜８１Ｃのうち、左特別図柄８１Ａと右特別図柄８１Ｃが通常当たり図柄（例えば、「６」である。）で停止し、中特別図柄８１Ｂだけが変動しているリーチ変動状態となる（図４５（３２））（Ｓ５０５−８−４−３２）。
【０１９３】
続いて、変動終了タイミングＴ３（秒）がＲＡＭから読み出され、先読み予告演出が開始されてから変動終了タイミングＴ３（秒）が経過するのを待つ。つまり、リーチ変動状態の表示時間が経過するまで待つ（Ｓ５０５−８−４−３３）。そして、先読み予告演出が開始されてから変動終了タイミングＴ３（秒）が経過した場合、つまり、リーチ変動状態の表示時間が経過した場合には、表示部１１の中央部に左、中、右特別図柄８１Ａ〜８１Ｃが、『６、６、６』等の偶数図柄のぞろ目で変動停止されて、通常大当たりが確定された旨が報知され（図４６（３３））（Ｓ５０５−８−４−３４）、当該保留予告演出コマンド処理が終了する。
【０１９４】
また一方、上記Ｓ５０５−８−４で変動コマンドに含まれた保留予告演出パターンが「第３演出パターン」でないと判断された場合には（Ｓ５０５−８−４）、変動コマンドに含まれた保留予告演出パターンは、「第４演出パターン」であると判断される（Ｓ５０５−８−４）。
【０１９５】
そして、変動コマンドに含まれた保留予告演出パターンが「第４演出パターン」であると判断された場合には（Ｓ５０５−８−４）、図２８、図２９、図３４の下段、図３５（１）〜図３６（４）、図４２（２１）〜図４４（２８）、図４７〜図４９に詳細を示す「第４演出パターン」の当たり保留予告演出表示、つまり、「第４演出パターン」の当たり先読み予告演出表示が実行される。図２８に示すように、先ず、ＲＯＭから「第４演出パターン」のタイミングチャート（図３４の下段参照）が読み出され、ＲＡＭに記憶される（Ｓ５０５−８−４−４１）。
【０１９６】
具体的には、予告演出の開始から示唆アイコン８６を青色に設定するタイミングＴＡ１（秒）、示唆アイコン８６を仮停止するタイミングＴＡ２（秒）、時間経過表示器８５を再設定し減算を開始するタイミングＴＢ１（秒）、示唆アイコン８６を緑色に設定するタイミングＴＢ２（秒）、模擬アイコン８２を緑色に設定するタイミングＴＢ３（秒）、左、中、右特別図柄８１Ａ〜８Ｃを仮変動停止するタイミングＴＢ４（秒）、赤色の示唆アイコン等を設定するタイミングＴＣ１（秒）、示唆アイコン８６を虹色に設定するタイミングＴＣ２（秒）、模擬アイコン８２を虹色に設定するタイミングＴＣ３（秒）、左、中、右特別図柄８１Ａ〜８Ｃを仮変動停止するタイミングＴＣ４（秒）、左、中、右特別図柄８１Ａ〜８Ｃを再変動するタイミングＴＣ５（秒）、リーチ演出を開始するタイミングＴＳ３（秒）、変動終了タイミングＴ４（秒）の各タイミング等がＲＡＭに記憶される（Ｓ５０５−８−４−４１）。
【０１９７】
続いて、Ｓ５０５−８−４−４２〜Ｓ５０５−８−４−６９において、上記Ｓ５０５−８−４−２〜Ｓ５０５−８−４−２９の処理が実行される（図３５（１）〜図３６（４）、図４２（２１）〜図４４（２８））。その後、赤色の示唆アイコン８６を虹色に設定するタイミングＴＣ２（秒）、例えば、「０６：００」（秒）がＲＡＭから読み出され、時間経過表示器８５に減算表示される時間が、示唆アイコン８６を虹色に設定するタイミングＴＣ２（秒）、例えば、「０６：００」（秒）に達するまで待つ（Ｓ５０５−８−４−７０）。
【０１９８】
そして、時間経過表示器８５に減算表示される時間が、赤色の示唆アイコン８６を虹色に設定するタイミングＴＣ２（秒）、例えば、「０６：００」（秒）に達した場合には（Ｓ５０５−８−４−７０）、赤色の示唆アイコン８６が時間経過表示器８５の右端位置に移動した際に、当該示唆アイコン８６の色が赤色から虹色に変更設定される（本願の「第１表示制御手段」に相当する。）（図４７（４１））（Ｓ５０５−８−４−７１）。その後、虹色の示唆アイコン８６が時間経過表示器８５上を左右全幅に渡って往復転動する往復移動表示が開始される（Ｓ５０５−８−４−７１）。これにより、遊技者に対して、確変大当たりになる遊技が実行される可能性が高いことが示唆される。
【０１９９】
続いて、時間経過表示器８５の減算表示される時間が「００：００」に達するまで、虹色の示唆アイコン８６が時間経過表示器８５上を左右全幅に渡って往復移動表示される（Ｓ５０５−８−４−７２）。そして、時間経過表示器８５の減算表示される時間が「００：００」（秒）に達した場合には（Ｓ５０５−８−４−７２）、虹色の示唆アイコン８６は、時間経過表示器８５の左端位置に移動した際に、「対象保留アイコン（対象保留）」に設定されている緑色の模擬アイコン８２に向かって飛ぶように移動表示され、当該模擬アイコン８２に当てられる。
【０２００】
そして、虹色の示唆アイコン８６が緑色の模擬アイコン８２に当たった後、削除される（消える）と共に、当該模擬アイコン８２が緑色から虹色に設定され（本願の「第２表示制御手段」、「信頼度表示手段」に相当する。）、遊技者に対して、現在の左、中、右特別図柄８１Ａ〜８Ｃの変動表示は、確変大当たりになる可能性が高いことが示唆される（図４７（４３））（Ｓ５０５−８−４−７３）。つまり、模擬アイコン８２が「信頼度表示」となる。その後、外れ図柄の左、中、右特別図柄８１Ａ、８１Ｂ、８１Ｃが、表示部１１の中央部に大きく仮変動停止される（図４８（４４））（Ｓ５０５−８−４−７４）。また、時間経過表示器８５の時間表示欄に、「００：００」（秒）が表示された状態が継続されている（図４８（４４））（Ｓ５０５−８−４−７５）。つまり、他の色の示唆アイコン８６が再度、時間経過表示器８５上を左右全幅に渡って往復移動表示される旨を表す「継続」の文字は表示されないように構成しているが表示するようにしてもよい。
【０２０１】
その後、時間経過表示器８５が表示部１１から削除されて（消されて）、表示部１１の中央部に仮変動停止されている左、中、右特別図柄８１Ａ、８１Ｂ、８１Ｃの３回目の変動表示、つまり、再変動が開始される（図４８（４５））（Ｓ５０５−８−４−７６）。続いて、表示部１１の中央部に変動表示されている左、中、右特別図柄８１Ａ〜８１Ｃのうち、左特別図柄８１Ａと右特別図柄８１Ｃが確変当たり図柄（例えば、「７」である。）で停止し、中特別図柄８１Ｂだけが変動しているリーチ変動状態となる（図４８（４６））（Ｓ５０５−８−４−７７）。
【０２０２】
続いて、変動終了タイミングＴ４（秒）がＲＡＭから読み出され、先読み予告演出が開始されてから変動終了タイミングＴ４（秒）が経過するのを待つ。つまり、リーチ変動状態の表示時間が経過するまで待つ（Ｓ５０５−８−４−７８）。そして、先読み予告演出が開始されてから変動終了タイミングＴ４（秒）が経過した場合、つまり、リーチ変動状態の表示時間が経過した場合には、表示部１１の中央部に左、中、右特別図柄８１Ａ〜８１Ｃが、『７、７、７』等の奇数図柄のぞろ目で変動停止されて、確変大当たりが確定された旨が報知され（図４９（４７））（Ｓ５０５−８−４−７９）、当該保留予告演出コマンド処理が終了する。
【０２０３】
また他方、図２３に示すように、上記Ｓ５０５−８−１で、受信された変動コマンド（保留予告演出コマンド）に「大当たりになる保留アイコンの表示順番（大当たりになる保留情報）」が含まれていないと判断された場合、つまり、「外れになる保留アイコンの表示順番（保留予告演出パターンの実行位置（例えば、「２番目」））」と保留予告演出パターンを含んだ変動コマンド（保留予告演出コマンド）であると判断された場合には（Ｓ５０５−８−１）、Ｓ５０５−８−５において、変動コマンドに含まれた保留予告演出パターンが「第１演出パターン」であるか否かが判断される（Ｓ５０５−８−５）。
【０２０４】
そして、変動コマンドに含まれた保留予告演出パターンが「第１演出パターン」であると判断された場合には（Ｓ５０５−８−５）、図３０、図３３の上段、図３５〜図３８に詳細を示す「第１演出パターン」の外れ保留予告演出表示、つまり、「第１演出パターン」の外れ先読み予告演出表示が実行される。図３０に示すように、先ず、ＲＯＭから「第１演出パターン」のタイミングチャート（図３３の上段参照）が読み出され、予告演出の開始から示唆アイコン８６を青色に設定するタイミングＴＡ１（秒）、リーチ演出の開始タイミングＴＳ１（秒）、変動終了タイミングＴ１（秒）の各タイミングがＲＡＭに記憶される（Ｓ５０５−８−５−１）。
【０２０５】
続いて、表示装置１０の表示部１１に左、中、右特別図柄８１Ａ〜８１Ｃの変動が開始されると共に、ボールの形状を模した各保留アイコン８３Ａ〜８３Ｄのうちの保留球数に対応する個数の保留アイコンが表示部１１の下端中央部に白色で表示される。また、現在変動中の大当たりになる信頼度を表すボールの形状を模した模擬アイコン８２が、表示部１１の左下角部に白色で表示される（図３５（１））（Ｓ５０５−８−５−２）。
【０２０６】
また、表示部１１に表示されている各保留アイコン８３Ａ〜８３Ｄのうち、「外れになる保留アイコンの表示順番（保留予告演出パターンの実行位置（例えば、「２番目」））」に対応する保留アイコン８３Ｂ（保留記憶情報）が、色を変更する「対象保留アイコン（対象保留）」に設定される（本願の「保留位置選択手段」に相当する。）（Ｓ５０５−８−５−２）。つまり、図３５（１）に示すように、保留予告演出コマンドに含まれている「外れになる保留アイコンの表示順番（保留予告演出パターンの実行位置（例えば、「２番目」））」に基づいて対応する左から２番目に表示されている保留アイコン８３Ｂが「対象保留アイコン（対象保留）」に設定され、ＲＡＭに記憶される（Ｓ５０５−８−５−２）。尚、点線で示される星印は、「対象保留アイコン（対象保留）」を表す説明上の目印であり、表示部１１には表示されていない。
【０２０７】
そして、Ｓ５０５−８−５−３〜Ｓ５０５−８−５−１７において、上記Ｓ５０５−８−２−３〜Ｓ５０５−８−２−１７の処理が実行される（図３５（１）〜図３７（９））。そして、先読み予告演出が開始されてから変動終了タイミングＴ１（秒）が経過した場合、つまり、リーチ変動状態の表示時間が経過した場合には、表示部１１の中央部に左、中、右特別図柄８１Ａ〜８１Ｃが、『７、６、７』等の外れリーチ図柄で変動停止されて、リーチ外れが確定された旨が報知され（図３８（１０Ｂ））（Ｓ５０５−８−５−１８）、当該保留予告演出コマンド処理が終了する。
【０２０８】
また一方、上記Ｓ５０５−８−５で変動コマンドに含まれた保留予告演出パターンが「第１演出パターン」でないと判断された場合には（Ｓ５０５−８−５）、変動コマンドに含まれた保留予告演出パターンは、「第２演出パターン」であると判断される（Ｓ５０５−８−５）。
【０２０９】
そして、変動コマンドに含まれた保留予告演出パターンが「第２演出パターン」であると判断された場合には（Ｓ５０５−８−５）、図３１、図３３の下段、図３５（１）〜図３６（４）、図３９〜図４１に詳細を示す「第２演出パターン」の外れ保留予告演出表示、つまり、「第２演出パターン」の外れ先読み予告演出表示が実行される。図３１に示すように、先ず、ＲＯＭから「第２演出パターン」のタイミングチャート（図３３の下段参照）が読み出され、予告演出の開始から示唆アイコン８６を青色に設定するタイミングＴＡ１（秒）、示唆アイコン８６を緑色に設定するタイミングＴＡ２（秒）、スーパーリーチ演出の開始タイミングＴＳ１（秒）、変動終了タイミングＴ２（秒）の各タイミング等がＲＡＭに記憶される（Ｓ５０５−８−５−２１）。
【０２１０】
続いて、表示装置１０の表示部１１に左、中、右特別図柄８１Ａ〜８１Ｃの変動が開始されると共に、ボールの形状を模した各保留アイコン８３Ａ〜８３Ｄのうちの保留球数に対応する個数の保留アイコンが表示部１１の下端中央部に白色で表示される。また、現在変動中の大当たりになる信頼度を表すボールの形状を模した模擬アイコン８２が、表示部１１の左下角部に白色で表示される（図３５（１））（Ｓ５０５−８−５−２２）。つまり、保留アイコン８３Ａ〜８３Ｄ自体が「信頼度表示」となる。
【０２１１】
また、表示部１１に表示されている各保留アイコン８３Ａ〜８３Ｄのうち、「外れになる保留アイコンの表示順番（保留予告演出パターンの実行位置（例えば、「２番目」））」に基づいて対応する保留アイコン８３Ｂが、色を変更する「対象保留アイコン（対象保留）」に設定される（本願の「保留位置選択手段」に相当する。）（Ｓ５０５−８−５−２２）。つまり、図３５（１）に示すように、保留予告演出コマンドに含まれている「外れになる保留アイコンの表示順番（保留予告演出パターンの実行位置（例えば、「２番目」））」に基づいて対応する左から２番目に表示されている保留アイコン８３Ｂが「対象保留アイコン（対象保留）」に設定され、ＲＡＭに記憶される（Ｓ５０５−８−５−２２）。尚、点線で示される星印は、「対象保留アイコン（対象保留）」を表す説明上の目印であり、表示部１１には表示されていない。
【０２１２】
そして、Ｓ５０５−８−５−２３〜Ｓ５０５−８−５−３８において、上記Ｓ５０５−８−３−３〜Ｓ５０５−８−３−１８の処理が実行される（図３５（１）〜図３６（４）、図３９（１１）〜図４０（１６））。
【０２１３】
続いて、表示部１１の左上側に当該リーチ変動状態が小さく表示されると共に、表示部１１の右上側に「スーパーリーチ」の文字が小さく表示される（図４１（１７））（Ｓ５０５−８−５−３９）。また、客側キャラクタ８８と敵キャラクタ８９を表示部１１の略中央部に出現させて、客側キャラクタ８８と敵キャラクタ８９とを対峙させた後、格闘させる（図４１（１７））（Ｓ５０５−８−５−３９）。
【０２１４】
その後、格闘により倒された状態の客側キャラクタ８８が表示部１１の略中央部に表示されると共に、立っている状態の敵キャラクタ８９が客側キャラクタ８８の横側に表示される（図４１（１８Ｂ））（Ｓ５０５−８−５−３９）。また、表示部１１の左上側に、左、中、右特別図柄８１Ａ〜８１Ｃが、『７、６、７、』等の外れリーチ図柄で変動停止され、リーチとなったが外れが付与された旨が報知される（図４１（１８Ｂ））（Ｓ５０５−８−５−３９）。
【０２１５】
続いて、変動終了タイミングＴ２（秒）がＲＡＭから読み出され、先読み予告演出が開始されてから変動終了タイミングＴ２（秒）が経過するのを待つ。つまり、スーパーリーチ演出の表示時間が経過するまで待つ（Ｓ５０５−８−５−４０）。そして、先読み予告演出が開始されてから変動終了タイミングＴ２（秒）が経過した場合、つまり、スーパーリーチ演出の表示時間が経過した場合には、表示部１１の中央部に左、中、右特別図柄８１Ａ〜８１Ｃが、『７、６、７』等の外れリーチ図柄で変動停止されて、リーチ外れが確定された旨が報知され（図４１（１９Ｂ））（Ｓ５０５−８−５−４１）、当該保留予告演出コマンド処理が終了する。
【０２１６】
以上詳細に説明した通り、本実施形態に係る遊技機１では、サブ制御基板２０５は、「保留予告演出コマンド処理」において、時間経過表示器８５に表示された時間が減算表示される間に、示唆アイコン８６が、複数の態様のうちの最も信頼度が低い白色から青色、緑色、赤色、虹色と信頼度が高くなる態様に段階的に変化可能に構成されている。そして、時間経過表示器８５が「００：００」（秒）になるタイミングで、左端に表示されるボールの形状を模した保留アイコン８３Ａ、又は、現在変動中の大当たりになる信頼度を表すボールの形状を模した模擬アイコン８２が示唆アイコン８６の態様、つまり、示唆アイコン８６の色に変化される。つまり、保留アイコン８３Ａ又は模擬アイコン８２が「信頼度表示」となる。
【０２１７】
これにより、遊技者の興味を、示唆アイコン８６の色が変化する演出態様（本願の「第１表示制御手段」に相当する。）に惹きつけた後、続いて、保留アイコン８３Ａ〜８３Ｄ（例では８３Ａである。）、又は、現在変動中の大当たりになる信頼度を表す模擬アイコン８２が変化する演出態様に惹きつけることができ、趣向性を高めることが可能となる。
【０２１８】
また、表示部１１の下端部に最大４個表示される各保留アイコン８３Ａ〜８３Ｄのうち、保留予告演出パターンが選択された際に記憶された保留記憶のうち、大当たり乱数値が含まれた保留記憶に対する保留アイコンが「対象保留アイコン（対象保留）」に設定され、当該「対象保留アイコン」に対応する保留アイコン８３Ａ〜８３Ｄ（例では８３Ａである。）又は模擬アイコン８２の色が変化する。これにより、遊技者の興味を保留アイコン８３Ａ〜８３Ｄ（例では８３Ａである。）８３Ａ、又は、現在変動中の大当たりになる信頼度を表す模擬アイコン８２が変化する演出態様に更に惹きつけることができる。本実施形態では、保留アイコン８３Ａが対象保留となっていたが、保留アイコン８３Ａ〜８３Ｄの何れでもよい。
【０２１９】
また、保留アイコン８３Ａが示唆アイコン８６の色に変化した場合（本願の「第２表示制御手段」、「信頼度表示手段」に相当する。）には、当該保留アイコン８３Ａに対応する保留データの変動表示が表示部１１に表示されて、保留アイコン８３Ａが削除された際に、模擬アイコン８２の色が当該保留アイコン８３Ａの色に変化する。これにより、模擬アイコン８２の変化する態様によって特典が付与されるか否かを予告することが可能となり、遊技者の興味を模擬アイコン８２が変化する演出態様に惹きつけることができ、更に趣向性を高めることが可能となる。
【０２２０】
また、時間経過表示器８５の時間表示欄に、「００：００」が表示された後、「継続」の文字が表示された場合には、時間経過表示器８５の上端部に表示される示唆アイコン８６の色が段階的に、より大当たりの信頼度が高い色に変化可能に構成されている。これにより、示唆アイコン８６の態様が、更に信頼度が高い態様に変化するため、遊技者の興味を、示唆アイコン８６が変化する演出態様に更に惹き付けることができ、趣向性を更に高めることが可能となる。尚、変動が終了した旨を表す表記は「継続」に限らなくてもよい。
【０２２１】
また、時間経過表示器８５の時間表示欄に、「００：００」が表示された後、「継続」の文字が表示されて、左、中、右特別図柄８１Ａ、８１Ｂ、８１Ｃが仮変動停止された場合には、左、中、右特別図柄８１Ａ、８１Ｂ、８１Ｃが仮変動停止された後、再変動が開始され、いわゆる疑似連続予告演出が実行されるため、遊技の趣向性を更に高めることができる。
【０２２２】
また、時間経過表示器８５の減算表示がされる際に、示唆アイコン８６が時間経過表示器８５上を左右方向に往復移動し、所定タイミングで時間経過表示器８５上の右端の位置で示唆アイコン８６の色が信頼度の高い色に変化する。これにより、示唆アイコン８６の色が変化するタイミングを認識し易くなり、示唆アイコン８６が時間経過表示器８５上の右端位置に位置する毎に、遊技者の興味を示唆アイコン８６に惹きつけ、趣向性を高めることが可能となる。
【０２２３】
また、時間経過表示器８５の減算表示がされる際に、予め設定された経過時間において、示唆アイコン８６の色が変化する。これにより、示唆アイコン８６の色が変化するタイミングを認識し易くなり、遊技者の興味を時間経過表示器８５の表示に惹きつけることができ、趣向性を高めることが可能となる。
【０２２４】
また、「対象保留アイコン（対象保留）」が保留アイコン８３Ａに設定されるまで、時間経過表示器８５の時間表示欄に、「待機中」の文字が表示されて、示唆アイコン８６の色が、最も信頼度が低い白色から変化しない待機状態が所定期間表示されるため、遊技者の期待を高め、趣向性を高めることが可能となる。
【０２２５】
尚、本発明は前記実施形態に限定されることはなく、本発明の要旨を逸脱しない範囲内で種々の改良、変形が可能であることは勿論である。例えば、示唆アイコン８６の色の出現順が最も信頼度が低い白色から表示していたが、最も信頼度が低い色よりも上の色から始まってもよい。また示唆アイコン８６の表示態様を保留アイコン８３Ａに反映されると見せながら結果的に反映しない場合（第２表示制御手段が実行されない場合）があってもよい。そして、信頼度表示手段に該当する表示部は本実施例のように保留アイコン８３Ａ〜８３Ｄの何れかでも当該変動中用の保留アイコンの何れでもよい。更に、以下のようにしてもよい。
【０２２６】
［他の第１実施形態］
（Ａ）例えば、保留予告演出コマンドに含まれた「表示順番」に対応する対象保留アイコンが、左から２番目の保留アイコン８３Ｂに設定された際に、示唆アイコン８６が保留アイコン８３Ｂに当たって、当該保留アイコン８３Ｂの色が示唆アイコン８６の色に変化するようにしてもよい。これにより、前記実施形態の効果を奏することが可能となる。
【０２２７】
［他の第２実施形態］
（Ｂ）また、例えば、時間経過表示器８５の上側で、ボールを模した示唆アイコン８６が、時間表示欄の時間が減算表示されている間、サッカーのいわゆるリフティングにより上下方向に移動される演出を表示するようにしてもよい。そして、足でリフティングされている示唆アイコン８６が、ヘディングでリフティングされた際に、当該示唆アイコン８６の色がより信頼度の高い色に変化するようにしてもよい。これにより、示唆アイコン８６の色を変化させる演出表示の趣向性を高めることが可能となる。
【０２２８】
［他の第３実施形態］
（Ｃ）また、例えば、時間経過表示器８５の時間表示欄に表示される時間は、「００：００」から所定時間まで、例えば、「１０：００」まで増加表示されるようにしてもよい。そして、所定タイミングになった際に、示唆アイコン８６の色がより信頼度の高い色に変化するように構成してもよい。これにより、前記実施形態の効果を奏することが可能となる。
【０２２９】
［他の第４実施形態］
（Ｄ）また、例えば、時間経過表示器８５を横棒メータなどで構成するようにしてもよい。そして、横棒メータの長さが、時間の経過と共に、徐々に短くなるように、又は、徐々に長くなるように表示するようにしてもよい。そして、横棒メータ長さが所定長さになったときに、横棒メータ上を左右方向に移動する示唆アイコン８６の色が、より信頼度の高い色に変化するように構成してもよい。これにより、前記実施形態の効果を奏することが可能となる。
【０２３０】
［他の第５実施形態］
（Ｅ）また、例えば、示唆アイコン８６が、各保留アイコン８３Ａ〜８３Ｄや模擬アイコン８２でなく、表示部１１に表示されている他のアイコン、例えば、ゴールポスト等に当たって、このゴールポスト等の色が示唆アイコン８６の色に変化して、現在変動中の大当たりになる信頼度を示唆するように構成してもよい。これにより、ゴールポスト等の色が変化する演出に遊技者の興味を惹きつけ、趣向性を高めることが可能となる。
【０２３１】
［他の第６実施形態］
（Ｆ）また、例えば、示唆アイコン８６の形状が変化して、例えば、魚、蛙、ネズミ、ウサギ、馬等に順次変化して、大当たりになる信頼度が段階的に高くなるように構成してもよい。
【０２３２】
［他の第７実施形態］
（Ｇ）また、例えば、示唆アイコン８６の色は、白色、青色、緑色、赤色、虹色となる順に、大当たりになる信頼度が段階的に低くなるように構成してもよいし、大当たりになる信頼度が段階的に上がったり下がったりするように構成してもよい。また、示唆アイコン８６の色は、段階的に変化するだけでなく、２段階飛びなどして変化するようにしてもよい。また、示唆アイコン８６の色は、白色、青色、緑色、赤色、虹色に限らず、予め定められた色であればよい。また、示唆アイコン８６の色は、白色、青色、緑色、赤色、虹色の５種類に限らず、６種類以上でもよい。これにより、先読み予告演出表示の多様化を図ることが可能となる。
【０２３３】
［他の第８実施形態］
（Ｈ）また、例えば、時間経過表示器８５を表示部１１に表示することなく、液晶、ドットマトリックス若しくはＬＥＤ表示装置等の表示装置を別に設け、時間経過等を表示するようにしてもよい。これにより、前記実施形態の効果を奏することが可能となる。
【符号の説明】
【０２３４】
１    遊技機
１０      表示装置
１１      表示部
２００      主制御基板
２０５      サブ制御基板
２１０      表示制御基板
【要約】
【課題】特典が付与される信頼度を表す信頼度表示を変化させる演出態様に対する趣向性を高めることが可能となる遊技機を提供する。
【解決手段】所定の第１位置に前記特典が付与される信頼度を表す信頼度表示を行う信頼度表示手段と、時間経過を表示する時間経過表示手段と、所定の第２位置に前記判断結果を示唆する示唆表示を前記特典が付与される信頼度を表す複数の態様のうち少なくとも１つを表示する示唆表示手段と、前記時間経過表示手段が所定範囲内で変化する際に、前記示唆表示が第１態様から前記複数の態様のうちの前記信頼度が高くなる他の態様に段階的に変化可能に制御する第１表示制御手段と、前記時間経過表示手段が変化する所定範囲内の所定タイミングで、前記示唆表示の態様を前記信頼度表示手段に表示させるように制御する第２表示制御手段と、を有するように構成する。
【選択図】図２４【図１】
0006015820.tif 000002
【図２】
0006015820.tif 000003
【図３】
0006015820.tif 000004
【図４】
0006015820.tif 000005
【図５】
0006015820.tif 000006
【図６】
0006015820.tif 000007
【図７】
0006015820.tif 000008
【図８】
0006015820.tif 000009
【図９】
0006015820.tif 000010
【図１０】
0006015820.tif 000011
【図１１】
0006015820.tif 000012
【図１２】
0006015820.tif 000013
【図１３】
0006015820.tif 000014
【図１４】
0006015820.tif 000015
【図１５】
0006015820.tif 000016
【図１６】
0006015820.tif 000017
【図１７】
0006015820.tif 000018
【図１８】
0006015820.tif 000019
【図１９】
0006015820.tif 000020
【図２０】
0006015820.tif 000021
【図２１】
0006015820.tif 000022
【図２２】
0006015820.tif 000023
【図２３】
0006015820.tif 000024
【図２４】
0006015820.tif 000025
【図２５】
0006015820.tif 000026
【図２６】
0006015820.tif 000027
【図２７】
0006015820.tif 000028
【図２８】
0006015820.tif 000029
【図２９】
0006015820.tif 000030
【図３０】
0006015820.tif 000031
【図３１】
0006015820.tif 000032
【図３２】
0006015820.tif 000033
【図３３】
0006015820.tif 000034
【図３４】
0006015820.tif 000035
【図３５】
0006015820.tif 000036
【図３６】
0006015820.tif 000037
【図３７】
0006015820.tif 000038
【図３８】
0006015820.tif 000039
【図３９】
0006015820.tif 000040
【図４０】
0006015820.tif 000041
【図４１】
0006015820.tif 000042
【図４２】
0006015820.tif 000043
【図４３】
0006015820.tif 000044
【図４４】
0006015820.tif 000045
【図４５】
0006015820.tif 000046
【図４６】
0006015820.tif 000047
【図４７】
0006015820.tif 000048
【図４８】
0006015820.tif 000049
【図４９】
0006015820.tif 000050